(57)【要約】  ワイヤレスデバイス（３００ａ）にダウンリンク送信のための設定を提供するための方法が提示される。本方法は、ネットワークノード（２００）によって実施され、短送信時間間隔（ｓＴＴＩ）におけるダウンリンク送信のための設定を備えるダウンリンク制御情報（ＤＣＩ）メッセージを送信すること（Ｓ１０２）を含む。ネットワークノード、ワイヤレス端末、コンピュータプログラム、およびそれのコンピュータプログラム製品も提示される。【選択図】図２Ａ
2019517199.tif 000002
【特許請求の範囲】
【請求項１】
ネットワークノード（２００）によって実施される、ワイヤレスデバイス（３００ａ）にダウンリンク送信のための設定を提供するための方法であって、
短ＴＴＩ（ｓＴＴＩ）におけるダウンリンク送信のための設定を備えるダウンリンク制御情報（ＤＣＩ）メッセージを送信すること（Ｓ１０２）
を含む、方法。
【請求項２】
前記ＤＣＩメッセージが、ｓＴＴＩのためのＴＴＩ周波数帯域中で送信される、請求項１に記載の方法。
【請求項３】
前記設定が、参照シンボルとデータシンボルとの位置を備える、請求項１または２に記載の方法。
【請求項４】
前記参照シンボルが、ダウンリンク（ＤＬ）復調用参照信号（ＤＭＲＳ）である、請求項３に記載の方法。
【請求項５】
前記設定がｓＴＴＩ長を備える、請求項１から４のいずれか一項に記載の方法。
【請求項６】
前記ｓＴＴＩが、各サブフレームのための固定長を有する、請求項１から５のいずれか一項に記載の方法。
【請求項７】
前記ＤＣＩメッセージの前記設定に従って、短物理ダウンリンク共有チャネル（ｓＰＤＳＣＨ）上で前記ワイヤレスデバイスにデータ送信を送信すること（Ｓ１０６）
をさらに含む、請求項１から６のいずれか一項に記載の方法。
【請求項８】
前記ＤＣＩメッセージが低速ＤＣＩメッセージであり、前記低速ＤＣＩがサブフレームベースで送られる、請求項１から７のいずれか一項に記載の方法。
【請求項９】
前記低速ＤＣＩメッセージがワイヤレスデバイスのグループに送られる、請求項８に記載の方法。
【請求項１０】
前記ＤＣＩメッセージが高速ＤＣＩメッセージであり、前記高速ＤＣＩメッセージが特定のワイヤレスデバイスに送られる、請求項１から７のいずれか一項に記載の方法。
【請求項１１】
前記高速ＤＣＩメッセージがシンボルまたはｓＴＴＩベースで送られる、請求項１０に記載の方法。
【請求項１２】
前記ｓＴＴＩが固定パターンを有する、請求項１から１１のいずれか一項に記載の方法。
【請求項１３】
前記ｓＴＴＩが、サブフレーム内にＤＬ−ｓＴＴＩデータ送信のための固定開始シンボルを有する、請求項１から１０のいずれか一項に記載の方法。
【請求項１４】
前記固定開始シンボルは、ＤＬ−ｓＴＴＩデータ送信が実施され得るサブフレーム内の第１のシンボルである、請求項１３に記載の方法。
【請求項１５】
前記固定開始シンボルが、ＤＬサブフレームの制御領域に応じて選択される、請求項１３または１４に記載の方法。
【請求項１６】
前記固定開始シンボルが、物理制御フォーマット指示チャネル（ＰＣＦＩＣＨ）によって、または無線リソース制御（ＲＲＣ）によってシグナリングされる、請求項１５に記載の方法。
【請求項１７】
使用されるべきｓＴＴＩパターンを決定すること（Ｓ１００）
をさらに含む、請求項１から１６のいずれか一項に記載の方法。
【請求項１８】
前記決定することがレイテンシ要件に基づく、請求項１７に記載の方法。
【請求項１９】
前記ｓＴＴＩが、第１の固定パターンと第２の固定パターンとを有する、請求項１から１８のいずれか一項に記載の方法。
【請求項２０】
ｓＴＴＩパターンが、連続順序でシンボル長３、２、２、２、２、３からなるか、または連続順序でシンボル長２、３、２、２、２、３からなる、請求項１から１９のいずれか一項に記載の方法。
【請求項２１】
１または３の開始シンボルインデックスに続く前記ｓＴＴＩデータ送信が第１のパターンを有し、２の開始シンボルインデックスに続く前記ｓＴＴＩデータ送信が第２のパターンを有する、請求項１から２０のいずれか一項に記載の方法。
【請求項２２】
ｓＴＴＩパターンが、１または３の開始シンボルインデックスに続いて連続順序でシンボル長３、２、２、２、２、３からなり、２の開始シンボルインデックスに続いて連続順序でシンボル長２、３、２、２、２、３からなり、第２のパターンを有する、請求項２０または２１に記載の方法。
【請求項２３】
ｓＴＴＩ長が、２つまたは７つのシンボルである、請求項６に記載の方法。
【請求項２４】
サブフレーム間で異なるパターン間で切り替えること
をさらに含む、請求項１から２３のいずれか一項に記載の方法。
【請求項２５】
ワイヤレスデバイス（３００ａ）によって実施される、ネットワークノード（２００）からのダウンリンク送信の設定のための方法であって、
短ＴＴＩ（ｓＴＴＩ）におけるダウンリンク送信のための設定を備えるダウンリンク制御情報（ＤＣＩ）メッセージを受信すること（Ｓ２０２）
を含む、方法。
【請求項２６】
前記ＤＣＩメッセージが、ｓＴＴＩのためのＴＴＩ周波数帯域中で受信される、請求項２５に記載の方法。
【請求項２７】
前記設定が、参照シンボルとデータシンボルとの位置を備える、請求項２５または２６に記載の方法。
【請求項２８】
前記参照シンボルが、ダウンリンク（ＤＬ）復調用参照信号（ＤＭＲＳ）である、請求項２７に記載の方法。
【請求項２９】
前記設定がｓＴＴＩ長を備える、請求項２５から２８のいずれか一項に記載の方法。
【請求項３０】
前記ｓＴＴＩが、各サブフレームのための固定長を有する、請求項２５から２８のいずれか一項に記載の方法。
【請求項３１】
前記ＤＣＩメッセージの前記設定に従って、短物理ダウンリンク共有チャネル（ｓＰＤＳＣＨ）上で前記ネットワークノードからデータ送信を受信すること（Ｓ２０４）
をさらに含む、請求項２５から３０のいずれか一項に記載の方法。
【請求項３２】
前記ＤＣＩメッセージが低速ＤＣＩメッセージであり、前記低速ＤＣＩがサブフレームベースで送られる、請求項２５から３１のいずれか一項に記載の方法。
【請求項３３】
前記ＤＣＩメッセージが高速ＤＣＩメッセージであり、前記高速ＤＣＩメッセージが特定のワイヤレスデバイスに送られる、請求項２５から３１のいずれか一項に記載の方法。
【請求項３４】
前記高速ＤＣＩメッセージがシンボルまたはｓＴＴＩベースで送られる、請求項３３に記載の方法。
【請求項３５】
前記ｓＴＴＩが、各サブフレームのための固定パターンを有する、請求項２５から３４のいずれか一項に記載の方法。
【請求項３６】
前記ｓＴＴＩが、データ送信のためのＤＬサブフレーム内に固定開始シンボルを有する、請求項２６から３５のいずれか一項に記載の方法。
【請求項３７】
前記固定開始シンボルは、ＤＬ−ｓＴＴＩデータ送信が実施され得るサブフレーム内の第１のシンボルである、請求項３６に記載の方法。
【請求項３８】
前記固定開始シンボルが、前記ＤＬサブフレームの制御領域に応じて選択される、請求項３６または３７に記載の方法。
【請求項３９】
前記固定開始シンボルが、物理制御フォーマット指示チャネル（ＰＣＦＩＣＨ）によって、または無線リソース制御（ＲＲＣ）によってシグナリングされる、請求項３８に記載の方法。
【請求項４０】
使用されるべきｓＴＴＩパターンを決定すること（Ｓ２０３）
をさらに含む、請求項２５から３９のいずれか一項に記載の方法。
【請求項４１】
前記決定することが、データ送信のためのＤＬサブフレーム内の開始シンボルインデックスに基づく、請求項４０に記載の方法。
【請求項４２】
前記ｓＴＴＩが、第１の固定パターンと第２の固定パターンとを有する、請求項２５から４３のいずれか一項に記載の方法。
【請求項４３】
前記ｓＴＴＩパターンが、連続順序でシンボル長３、２、２、２、２、３からなるか、または連続順序でシンボル長２、３、２、２、２、３からなる、請求項２５から４２のいずれか一項に記載の方法。
【請求項４４】
１または３の開始シンボルインデックスに続く前記ｓＴＴＩデータ送信が第１のパターンを有し、２の開始シンボルインデックスに続く前記ｓＴＴＩデータ送信が第２のパターンを有する、請求項２５から４３のいずれか一項に記載の方法。
【請求項４５】
ｓＴＴＩパターンが、１または３の開始シンボルインデックスに続いて連続順序でシンボル長３、２、２、２、２、３からなり、２の開始シンボルインデックスに続いて連続順序でシンボル長２、３、２、２、２、３からなり、第２のパターンを有する、請求項４３または４４に記載の方法。
【請求項４６】
ｓＴＴＩ長が、２つまたは７つのシンボルである、請求項３０に記載の方法。
【請求項４７】
サブフレーム間で異なるパターン間で切り替えること
をさらに含む、請求項２５から４６のいずれか一項に記載の方法。
【請求項４８】
ネットワークノード（２００）によって実施される、ワイヤレスデバイス（３００ａ）にダウンリンク送信のための設定を提供するための方法であって、
短ＴＴＩ（ｓＴＴＩ）におけるダウンリンク送信のための設定を備える無線リソース制御（ＲＲＣ）メッセージを送信すること（Ｓ１０２）
を含む、方法。
【請求項４９】
ＲＲＣメッセージが、ｓＴＴＩのためのＴＴＩ周波数帯域中で送信される、請求項４８に記載の方法。
【請求項５０】
前記設定がｓＴＴＩ長を備える、請求項４８または４９に記載の方法。
【請求項５１】
ワイヤレスデバイス（３００ａ）によって実施される、ネットワークノード（２００）からのダウンリンク送信の設定のための方法であって、
短ＴＴＩ（ｓＴＴＩ）におけるダウンリンク送信のための設定を備える無線リソース制御（ＲＲＣ）メッセージを受信すること（Ｓ２０２）
を含む、方法。
【請求項５２】
ワイヤレスデバイス（３００ａ）にダウンリンク送信のための設定を提供するためのネットワークノードであって、
プロセッサ（２１０）と、
命令を記憶するコンピュータプログラム製品（２１２、２１３）とを備え、前記命令が、前記プロセッサによって実行されたとき、前記ネットワークノードに、
短ＴＴＩ（ｓＴＴＩ）におけるダウンリンク送信のための設定を備えるダウンリンク制御情報（ＤＣＩ）メッセージを送信すること（Ｓ１０２）
を行わせる、ネットワークノード（２００）。
【請求項５３】
ネットワークノード（２００）からのダウンリンク送信の設定のためのワイヤレスデバイスであって、
プロセッサ（３１０）と、
命令を記憶するコンピュータプログラム製品（３１２、３１３）とを備え、前記命令が、前記プロセッサによって実行されたとき、前記ワイヤレスデバイスに、
短ＴＴＩ（ｓＴＴＩ）におけるダウンリンク送信のための設定を備えるダウンリンク制御情報（ＤＣＩ）メッセージを受信すること（Ｓ２０２）
を行わせる、ワイヤレスデバイス（３００ａ）。
【請求項５４】
ワイヤレスデバイス（３００ａ）にダウンリンク送信のための設定を提供するためのネットワークノードであって、
プロセッサ（２１０）と、
命令を記憶するコンピュータプログラム製品（２１２、２１３）とを備え、前記命令が、前記プロセッサによって実行されたとき、前記ネットワークノードに、
短ＴＴＩ（ｓＴＴＩ）におけるダウンリンク送信のための設定を備える無線リソース制御（ＲＲＣ）メッセージを送信すること（Ｓ１０２）
を行わせる、ネットワークノード（２００）。
【請求項５５】
ネットワークノード（２００）からのダウンリンク送信の設定のためのワイヤレスデバイスであって、
プロセッサ（３１０）と、
命令を記憶するコンピュータプログラム製品（３１２、３１３）とを備え、前記命令が、前記プロセッサによって実行されたとき、前記ワイヤレスデバイスに、
短ＴＴＩ（ｓＴＴＩ）におけるダウンリンク送信のための設定を備える無線リソース制御（ＲＲＣ）メッセージを受信すること（Ｓ２０２）
を行わせる、ワイヤレスデバイス（３００ａ）。
【請求項５６】
ワイヤレスデバイス（３００ａ）にダウンリンク送信のための設定を提供するためのネットワークノードであって、
短ＴＴＩ（ｓＴＴＩ）におけるダウンリンク送信のための設定を備えるダウンリンク制御情報（ＤＣＩ）メッセージを送信する（Ｓ１０２）ための通信マネージャ（２５０）
を備える、ネットワークノード（２００）。
【請求項５７】
ネットワークノード（２００）からのダウンリンク送信の設定のためのワイヤレスデバイスであって、
短ＴＴＩ（ｓＴＴＩ）におけるダウンリンク送信のための設定を備えるダウンリンク制御情報（ＤＣＩ）メッセージを受信する（Ｓ２０２）ための通信マネージャ（３５０）
を備える、ワイヤレスデバイス（３００ａ）。
【請求項５８】
ワイヤレスデバイス（３００ａ）にダウンリンク送信のための設定を提供するためのネットワークノードであって、
短ＴＴＩ（ｓＴＴＩ）におけるダウンリンク送信のための設定を備える無線リソース制御（ＲＲＣ）メッセージを送信する（Ｓ１０２）ための通信マネージャ（２５０）
を備える、ネットワークノード（２００）。
【請求項５９】
ネットワークノード（２００）からのダウンリンク送信の設定のためのワイヤレスデバイスであって、
短ＴＴＩ（ｓＴＴＩ）におけるダウンリンク送信のための設定を備える無線リソース制御（ＲＲＣ）メッセージを受信する（Ｓ２０２）ための通信マネージャ（３５０）
を備える、ワイヤレスデバイス（３００ａ）。
【請求項６０】
ワイヤレスデバイス（３００ａ）にダウンリンク送信のための設定を提供するためのコンピュータプログラム（２１４、２１５）であって、前記コンピュータプログラムがコンピュータプログラムコードを備え、前記コンピュータプログラムコードが、ネットワークノード（２００）上で起動されたとき、前記ネットワークノード（２００）に、
短ＴＴＩ（ｓＴＴＩ）におけるダウンリンク送信のための設定を備えるダウンリンク制御情報（ＤＣＩ）メッセージを送信すること（Ｓ１０２）
を行わせる、コンピュータプログラム（２１４、２１５）。
【請求項６１】
ネットワークノード（２００）からのダウンリンク送信の設定のためのコンピュータプログラム（３１４、３１５）であって、前記コンピュータプログラムがコンピュータプログラムコードを備え、前記コンピュータプログラムコードが、ワイヤレス端末（３００）上で起動されたとき、前記ワイヤレス端末（３００）に、
短ＴＴＩ（ｓＴＴＩ）におけるダウンリンク送信のための設定を備えるダウンリンク制御情報（ＤＣＩ）メッセージを受信すること（Ｓ２０２）
を行わせる、コンピュータプログラム（３１４、３１５）。
【請求項６２】
ワイヤレスデバイス（３００ａ）にダウンリンク送信のための設定を提供するためのコンピュータプログラム（２１４、２１５）であって、前記コンピュータプログラムがコンピュータプログラムコードを備え、前記コンピュータプログラムコードが、ネットワークノード（２００）上で起動されたとき、前記ネットワークノード（２００）に、
短ＴＴＩ（ｓＴＴＩ）におけるダウンリンク送信のための設定を備える無線リソース制御（ＲＲＣ）メッセージを送信すること（Ｓ１０２）
を行わせる、コンピュータプログラム（２１４、２１５）。
【請求項６３】
ネットワークノード（２００）からのダウンリンク送信の設定のためのコンピュータプログラム（３１４、３１５）であって、前記コンピュータプログラムがコンピュータプログラムコードを備え、前記コンピュータプログラムコードが、ワイヤレス端末（３００）上で起動されたとき、前記ワイヤレス端末（３００）に、
短ＴＴＩ（ｓＴＴＩ）におけるダウンリンク送信のための設定を備える無線リソース制御（ＲＲＣ）メッセージを受信すること（Ｓ２０２）
を行わせる、コンピュータプログラム（３１４、３１５）。
【請求項６４】
請求項６０から６２のいずれか一項に記載のコンピュータプログラム（２１４、２１５；３１４、３１５）と、前記コンピュータプログラム（２１４、２１５；３１４、３１５）が記憶されるコンピュータ可読記憶手段とを備えるコンピュータプログラム製品（２１２、２１３；３１２、３１３）。
【発明の詳細な説明】
【技術分野】
【０００１】
本発明は、ダウンリンク送信の設定のための方法、およびネットワークノード、ワイヤレスデバイス、コンピュータプログラムおよびそれのコンピュータプログラム製品に関する。
【背景技術】
【０００２】
通信ネットワークにおいて所与の通信プロトコルのための良好な性能および容量を提供する際の１つのパラメータは、パケットデータレイテンシである。通信ネットワークのすべての段階において、たとえば、新しいソフトウェアリリースまたはシステム構成要素を検証するとき、および／あるいは通信ネットワークを展開するとき、および通信ネットワークが商業運用中であるとき、レイテンシ測定が実施され得る。
【０００３】
３ＧＰＰ無線アクセス技術の前の世代よりも短いレイテンシは、３ＧＰＰリリース８以上に対応するＬｏｎｇ  Ｔｅｒｍ  Ｅｖｏｌｕｔｉｏｎ（ＬＴＥ）の設計をガイドした１つの性能メトリックであった。エンドユーザは、今、前の世代よりも、速いインターネットへのアクセスと、低いパケットレイテンシとを提供するシステムとしてＬＴＥを認識している。
【０００４】
パケットレイテンシはまた、通信ネットワークのスループットに間接的に影響を及ぼすパラメータである。ハイパーテキスト転送プロトコル（ＨＴＴＰ）および／または伝送制御プロトコル（ＴＣＰ）を使用するトラフィックは、現在、インターネット上で使用される支配的アプリケーションおよびトランスポートレイヤプロトコルスイートのうちの１つである。インターネット上のＨＴＴＰベーストランザクションの一般的なサイズは、数十キロバイトから１メガバイトまでの範囲内にある。このサイズ範囲において、ＴＣＰの低速開始期間は、パケットストリームの総トランスポート期間の有意な部分を表す。ＴＣＰ開始期間中に、性能はパケットレイテンシ制限される。したがって、改善されたパケットレイテンシは、少なくとも、このタイプのＴＣＰベースデータトランザクションのための、平均スループットを潜在的に改善することができる。
【０００５】
無線リソース効率も、パケットレイテンシ低減によって確実に影響を及ぼされ得る。より低いパケットデータレイテンシは、ある遅延限界内に可能な送信の数を増加させることができ、したがって、より高いブロックエラーレート（ＢＬＥＲ）ターゲットがデータ送信のために使用され、無線リソースを解放し、システムの容量を潜在的に改善することができる。
【０００６】
既存の物理レイヤダウンリンク制御チャネル、物理ダウンリンク制御チャネル（ＰＤＣＣＨ）および拡張ＰＤＣＣＨ（ｅＰＤＣＣＨ）は、アップリンク（ＵＬ、デバイスからネットワークへ）およびダウンリンク（ＤＬ、ネットワークからデバイスへ）のためのスケジューリング決定などのダウンリンク制御情報（ＤＣＩ）と電力制御コマンドとを搬送するために使用される。ＰＤＣＣＨとｅＰＤＣＣＨの両方が、現在の通信ネットワークに従って、１ｍｓサブフレームごとに１回送信される。
【０００７】
３ＧＰＰ  ＴＳ  ３６．２１２は、ＵＬおよびＤＬリソース割り振りのための異なるＤＣＩフォーマットの例をリストする。ＵＬスケジューリンググラントは、ＤＣＩフォーマット０またはＤＣＩフォーマット４のいずれかを使用する。後者は、アップリンク空間多重化をサポートするために３ＧＰＰにおいて追加された。
【０００８】
動作の既存のやり方、たとえば、フレーム構造および制御シグナリングは、割り当てられた帯域幅においてのみ変動し得る、１ｍｓの固定長のサブフレーム中のデータ割り当てのために設計される。詳細には、現在のＤＣＩは、サブフレーム全体内のリソース割り当てを規定し、サブフレームごとに１回のみ送信される。動作の既存のやり方は、ＵＬおよびＤＬデータのスケジューリングが、サブフレームよりも短い、すなわち、１ｍｓよりも短い時間フレームにおいてどのように実施され得るかを指示しない。
【０００９】
したがって、シグナリングオーバーヘッドと実装複雑さとを低減する必要がある。
【発明の概要】
【００１０】
本明細書で提示される実施形態の目的は、短送信時間間隔（ｓｈｏｒｔ  ｔｒａｎｓｍｉｓｓｉｏｎ  ｔｉｍｅ  ｉｎｔｅｒｖａｌ）を使用する通信を可能にすることである。
【００１１】
第１の態様によれば、ワイヤレスデバイスにダウンリンク送信のための設定を提供するための方法が提示される。本方法は、ネットワークノードによって実施され、短送信時間間隔（ｓＴＴＩ）におけるダウンリンク送信のための設定を備えるダウンリンク制御情報（ＤＣＩ）メッセージを送信することを含む。
【００１２】
ＤＣＩメッセージ中に含まれている設定によって、整合されたネットワークノードとワイヤレスデバイスとを維持しながら、ｓＴＴＩを採用する送信のプロパティを、変化する条件に適応させることが可能である。
【００１３】
ＴＴＩは、（レガシーＴＴＩに対して）短縮され、各ｓＴＴＩは、サブフレームよりも時間的に短くなり得、各ｓＴＴＩは、少なくとも１つのシンボル期間を備える。
【００１４】
ＤＣＩメッセージは、ｓＴＴＩのためのＴＴＩ周波数帯域中で送信され得る。
【００１５】
設定は、参照シンボルとデータシンボルとの位置を備え得る。参照シンボルは、ダウンリンク復調用参照信号（ＤＭＲＳ）またはセル固有参照シンボル（ＣＲＳ）であり得る。
【００１６】
設定はｓＴＴＩ長を備え得る。ｓＴＴＩ長は、２つまたは７つのシンボルであり得る。
【００１７】
ｓＴＴＩは、各サブフレームのための固定長を有し得る。
【００１８】
本方法は、ＤＣＩメッセージの設定に従って、短物理ダウンリンク共有チャネル（ｓＰＤＳＣＨ：ｓｈｏｒｔ  Ｐｈｙｓｉｃａｌ  Ｄｏｗｎｌｉｎｋ  Ｓｈａｒｅｄ  Ｃｈａｎｎｅｌ）上でワイヤレスデバイスにデータ送信を送信することをさらに含み得る。
【００１９】
ＤＣＩは、低速ＤＣＩメッセージであり得、サブフレームベースで送られ得る。低速ＤＣＩメッセージはワイヤレスデバイスのグループに送られ得る。
【００２０】
ＤＣＩは高速ＤＣＩであり得、高速ＤＣＩメッセージは特定のワイヤレスデバイスに送られ得る。高速ＤＣＩメッセージは、シンボルベースまたはｓＴＴＩベースで送られ得る。
【００２１】
ｓＴＴＩは固定パターンを有し得る。固定開始シンボルは、ＤＬ−ｓＴＴＩデータ送信が実施され得るサブフレーム内の第１のシンボルであり得る。固定開始シンボルは、ＤＬサブフレームの制御領域に応じて選択され得る。固定開始シンボルは、物理制御フォーマット指示チャネル（ＰＣＦＩＣＨ）によって、または無線リソース制御（ＲＲＣ）によってシグナリングされ得る。
【００２２】
本方法は、使用されるべきｓＴＴＩパターンを決定することをさらに含み得る。決定することはレイテンシ要件に基づき得る。
【００２３】
ｓＴＴＩは、第１の固定パターンと第２の固定パターンとを有し得る。
【００２４】
ｓＴＴＩパターンは、連続順序でシンボル長３、２、２、２、２、３からなり得るか、または連続順序でシンボル長２、３、２、２、２、３からなり得る。
【００２５】
１または３の開始シンボルインデックスに続くｓＴＴＩデータ送信は第１のパターンを有し得、２の開始シンボルインデックスに続くｓＴＴＩデータ送信は第２のパターンを有し得る。ｓＴＴＩパターンは、１または３の開始シンボルインデックスに続いて連続順序でシンボル長３、２、２、２、２、３からなり得、２の開始シンボルインデックスに続いて連続順序でシンボル長２、３、２、２、２、３からなり得、第２のパターンを有する。
【００２６】
本方法は、サブフレーム間で異なるパターン間で切り替えることをさらに含み得る。
【００２７】
第２の態様によれば、ネットワークノードからのダウンリンク送信の設定のための方法が提示される。本方法は、ワイヤレスデバイスによって実施され、ｓＴＴＩにおけるダウンリンク送信のための設定を備えるＤＣＩメッセージを受信することを含む。
【００２８】
第３の態様によれば、ワイヤレスデバイスにダウンリンク送信のための設定を提供するための方法が提示される。本方法は、ネットワークノードによって実施され、ｓＴＴＩにおけるダウンリンク送信のための設定を備える無線リソース制御（ＲＲＣ）メッセージを送信することを含む。
【００２９】
ＲＲＣメッセージは、ｓＴＴＩのためのＴＴＩ周波数帯域中で送信され得る。
【００３０】
設定はｓＴＴＩ長を備え得る。
【００３１】
第４の態様によれば、ネットワークノードからのダウンリンク送信の設定のための方法が提示される。本方法は、ワイヤレスデバイスによって実施され、ｓＴＴＩにおけるダウンリンク送信のための設定を備えるＲＲＣメッセージを受信することを含む。
【００３２】
第５の態様によれば、ワイヤレスデバイスにダウンリンク送信のための設定を提供するためのネットワークノードが提示され、プロセッサとコンピュータプログラム製品とを備える。コンピュータプログラム製品は、プロセッサによって実行されたとき、ネットワークノードに、ｓＴＴＩにおけるダウンリンク送信のための設定を備えるＤＣＩメッセージを送信させる命令を記憶する。
【００３３】
第６の態様によれば、ネットワークノードからのダウンリンク送信の設定のためのワイヤレスデバイスが提示され、プロセッサとコンピュータプログラム製品とを備える。コンピュータプログラム製品は、プロセッサによって実行されたとき、ワイヤレスデバイスに、ｓＴＴＩにおけるダウンリンク送信のための設定を備えるＤＣＩメッセージを受信させる命令を記憶する。
【００３４】
第７の態様によれば、ワイヤレスデバイスにダウンリンク送信のための設定を提供するためのネットワークノードが提示され、プロセッサとコンピュータプログラム製品とを備える。コンピュータプログラム製品は、プロセッサによって実行されたとき、本ネットワークノードに、ｓＴＴＩにおけるダウンリンク送信のための設定を備えるＲＲＣメッセージを送信させる命令を記憶する。
【００３５】
第８の態様によれば、ネットワークノードからのダウンリンク送信の設定のためのワイヤレスデバイスが提示され、プロセッサとコンピュータプログラム製品とを備える。コンピュータプログラム製品は、プロセッサによって実行されたとき、本ワイヤレスデバイスに、ｓＴＴＩにおけるダウンリンク送信のための設定を備えるＲＲＣメッセージを受信させる命令を記憶する。
【００３６】
第９の態様によれば、ワイヤレスデバイスにダウンリンク送信のための設定を提供するためのネットワークノードが提示される。本ネットワークノードは、ｓＴＴＩにおけるダウンリンク送信のための設定を備えるＤＣＩメッセージを送信するための通信マネージャを備える。
【００３７】
第１０の態様によれば、ネットワークノードからのダウンリンク送信の設定のためのワイヤレスデバイスが提示される。本ワイヤレスデバイスは、ｓＴＴＩにおけるダウンリンク送信のための設定を備えるＤＣＩメッセージを受信するための通信マネージャを備える。
【００３８】
第１１の態様によれば、ワイヤレスデバイスにダウンリンク送信のための設定を提供するためのネットワークノードが提示される。本ネットワークノードは、短送信時間間隔におけるダウンリンク送信のための設定を備えるＲＲＣメッセージを送信するための通信マネージャを備える。
【００３９】
第１２の態様によれば、ネットワークノードからのダウンリンク送信の設定のためのワイヤレスデバイスが提示される。本ワイヤレスデバイスは、ｓＴＴＩにおけるダウンリンク送信のための設定を備えるＲＲＣメッセージを受信するための通信マネージャを備える。
【００４０】
第１３の態様によれば、ワイヤレスデバイスにダウンリンク送信のための設定を提供するためのコンピュータプログラムが提示される。本コンピュータプログラムは、ネットワークノード上で起動されたとき、ネットワークノードに、ｓＴＴＩにおけるダウンリンク送信のための設定を備えるＤＣＩメッセージを送信させるコンピュータプログラムコードを備える。
【００４１】
第１４の態様によれば、ネットワークノードからのダウンリンク送信の設定のためのコンピュータプログラムが提示される。本コンピュータプログラムは、ワイヤレス端末上で起動されたとき、ワイヤレス端末に、ｓＴＴＩにおけるダウンリンク送信のための設定を備えるＤＣＩメッセージを受信させるコンピュータプログラムコードを備える。
【００４２】
第１５の態様によれば、ワイヤレスデバイスにダウンリンク送信のための設定を提供するためのコンピュータプログラムが提示される。本コンピュータプログラムは、ネットワークノード上で起動されたとき、ネットワークノードに、ｓＴＴＩにおけるダウンリンク送信のための設定を備えるＲＲＣメッセージを送信させるコンピュータプログラムコードを備える。
【００４３】
第１６の態様によれば、ネットワークノードからのダウンリンク送信の設定のためのコンピュータプログラムが提示される。本コンピュータプログラムは、ワイヤレス端末上で起動されたとき、ワイヤレス端末に、ｓＴＴＩにおけるダウンリンク送信のための設定を備えるＲＲＣメッセージを受信させるコンピュータプログラムコードを備える。
【００４４】
第１７の態様によれば、コンピュータプログラム製品は、コンピュータプログラムと、コンピュータプログラムが記憶されるコンピュータ可読記憶手段とを備える。
【００４５】
概して、特許請求の範囲において使用されるすべての用語は、本明細書で別段に明示的に規定されない限り、本技術分野におけるその通例の意味に従って解釈されるべきである。「１つの（ａ／ａｎ）／その（ｔｈｅ）要素、装置、構成要素、手段、ステップなど」へのすべての言及は、別段に明示的に述べられていない限り、その要素、装置、構成要素、手段、ステップなどの少なくとも１つの事例を指すようにオープンに解釈されるべきである。本明細書で開示されるいずれの方法のステップも、明示的に述べられていない限り、開示される厳密な順序で実施される必要はない。
【００４６】
次に、添付の図面を参照しながら、例として、本発明が説明される。
【図面の簡単な説明】
【００４７】
【図１】本明細書で提示される実施形態が実装され得る、通信ネットワークを示す概略図である。
【図２Ａ−Ｂ】Ａ及びＢは、本明細書で提示される実施形態による方法のフローチャートである。
【図３】本明細書で提示される実施形態による、サブフレーム中の短ＴＴＩ設定を概略的に示す図である。
【図４】本明細書で提示される実施形態による、サブフレーム中の短ＴＴＩ設定を概略的に示す図である。
【図５】本明細書で提示される実施形態による、サブフレーム中の短ＴＴＩ設定を概略的に示す図である。
【図６】本明細書で提示される実施形態による、サブフレーム中の短ＴＴＩ設定を概略的に示す図である。
【図７】本明細書で提示される実施形態による、サブフレーム中の短ＴＴＩ設定を概略的に示す図である。
【図８】本明細書で提示される実施形態による、サブフレーム中の短ＴＴＩ設定を概略的に示す図である。
【図９ａ−ｂ】本明細書で提示される実施形態による、サブフレーム中の短ＴＴＩ設定を概略的に示す図である。
【図９ｃ】本明細書で提示される実施形態による、サブフレーム中の短ＴＴＩ設定を概略的に示す図である。
【図１０】ワイヤレスデバイスのいくつかの構成要素を示す概略図である。
【図１１】ネットワークノードのいくつかの構成要素を示す概略図である。
【図１２】ワイヤレスデバイスの機能モジュールを示す概略図である。
【図１３】ネットワークノードの機能モジュールを示す概略図である。
【図１４】本明細書で提示される実施形態による、サブフレーム中の短ＴＴＩ設定を概略的に示す図である。
【図１５】本明細書で提示される実施形態による、サブフレーム中の短ＴＴＩ設定を概略的に示す図である。
【図１６】本明細書で提示される実施形態による、サブフレーム中の短ＴＴＩ設定を概略的に示す図である。
【図１７】本明細書で提示される実施形態による、サブフレーム中の短ＴＴＩ設定を概略的に示す図である。
【図１８】本明細書で提示される実施形態による、サブフレーム中の短ＴＴＩ設定を概略的に示す図である。
【図１９ａ−ｄ】本明細書で提示される実施形態による、サブフレーム中の短ＴＴＩ設定を概略的に示す図である。
【図１９ｅ−ｇ】本明細書で提示される実施形態による、サブフレーム中の短ＴＴＩ設定を概略的に示す図である。
【図２０】本明細書で提示される実施形態による、サブフレーム中の短ＴＴＩ設定を概略的に示す図である。
【発明を実施するための形態】
【００４８】
次に、本発明のいくつかの実施形態が示された添付の図面を参照しながら、本発明が以下でより十分に説明される。しかしながら、本発明は、多くの異なる形態で具現化され得、本明細書に記載される実施形態に限定されるものとして解釈されるべきではなく、むしろ、これらの実施形態は、本開示が徹底的かつ完全であり、本発明の範囲を当業者に十分に伝えるように、例として提供される。同じような番号は、説明全体にわたって同じような要素を指す。
【００４９】
既存の物理レイヤダウンリンク制御チャネル（ＰＤＣＣＨ）および拡張ＰＤＣＣＨ（ｅＰＤＣＣＨ）は、１ｍｓサブフレームごとに１回送信される。
【００５０】
ＰＤＣＣＨは、キャリア帯域幅全体上で配信されるが、サブフレーム中の最初の１〜４つのシンボル上で物理ダウンリンク共有チャネル（ＰＤＳＣＨ）と時間多重化される。
【００５１】
ｅＰＤＣＣＨは、１ｍｓサブフレーム全体上で配信されるが、それぞれ局所送信および分散送信のために、ＰＤＳＣＨと周波数多重化され、および１つまたは複数の物理リソースブロック（ＰＲＢ）ペア上に多重化される。
【００５２】
ＰＤＣＣＨは、すべてのユーザ機器（ＵＥ）が共通セル固有制御情報を検出する必要がある、共通探索空間を有する。ＵＥがｅＰＤＣＣＨのために設定されたか否かに応じて、ＵＥは、それぞれｅＰＤＣＣＨまたはＰＤＣＣＨのＵＥ探索空間からＵＥ固有制御情報を探索する。
【００５３】
ＰＤＣＣＨ領域のサイズは、サブフレームベースで動的に変化することができる。ＰＤＣＣＨ領域のサイズは、１ｍｓサブフレームの始まりにおいて物理制御フォーマット指示チャネル（ＰＣＦＩＣＨ）上でシグナリングされる。
【００５４】
ｅＰＤＣＣＨの周波数ドメイン割り当ては、上位レイヤシグナリングによって半静的に設定される。
【００５５】
現在の制御チャネルは、ダウンリンク制御情報（ＤＣＩ）と呼ばれる制御情報を搬送する。たとえば、設定された送信モードに応じて、異なるオプションを有するいくつかのＤＣＩフォーマットがある。ＤＣＩフォーマットは、セル無線ネットワーク一時識別子（Ｃ−ＲＮＴＩ）などのＵＥ識別子によってスクランブルされる巡回冗長検査（ＣＲＣ）を有し、デスクランブリングの後の、ＣＲＣ一致のとき、あるＤＣＩフォーマットをもつＰＤＣＣＨが検出されている。システム情報の送信のために使用されるシステム情報（ＳＩ）ＲＮＴＩなど、複数の端末によって共有される識別子もある。
【００５６】
現在、いくつかの異なるＤＣＩフォーマットがある。フォーマット１、１Ａ、１Ｂ、１Ｃ、１Ｄ、２、２Ａ、２Ｂ、２Ｃおよび２Ｄを含むＤＬリソース割り振りについては３ＧＰＰ  ＴＳ  ３６．２１２を参照されたい。
・  フォーマット１：単一コードワード送信
リソース割り当てタイプ（タイプ０またはタイプ１）を指示するための１ビット
リソース割り当て（タイプ０またはタイプ１）のための
2019517199.tif 000003
ビット
ＨＡＲＱプロセスナンバのための３ビット（時分割複信（ＴＤＤ）の場合は４ビット）
新規データインジケータ（ＮＤＩ）および反復バージョン（ＲＶ）のための３ビット
変調符号化方式（ＭＣＳ）のための５ビット
・  フォーマット１Ａ、１Ｂ、１Ｄ：単一コードワード送信
リソース割り当て（タイプ２）のための
2019517199.tif 000004
ビット
ＨＡＲＱプロセスナンバのための３ビット（ＴＤＤの場合は４ビット）
新規データインジケータ（ＮＤＩ）および反復バージョン（ＲＶ）のための３ビット
変調符号化方式（ＭＣＳ）のための５ビット
・  フォーマット２、２Ａ、２Ｂ、２Ｃ、２Ｄ：２コードワード送信
リソース割り当て（タイプ０またはタイプ１）のための
2019517199.tif 000005
ビット
ＨＡＲＱプロセスナンバのための３ビット（ＴＤＤの場合は４ビット）
新規データインジケータ（ＮＤＩ）および反復バージョン（ＲＶ）のための２×３ビット
変調符号化方式（ＭＣＳ）のための２×５ビット
【００５７】
ここで、Ｐは、システム帯域幅に依存するリソースブロックグループサイズであり、
2019517199.tif 000006
は、ダウンリンクにおけるリソースブロックの数である。
【００５８】
したがって、ダウンリンクスケジューリング割り振りのためのＤＣＩは、周波数ドメインにおけるダウンリンクデータリソース割り当てに関する情報（リソース割り当て）と、変調符号化方式（ＭＣＳ）と、ハイブリッド自動再送要求（ＨＡＲＱ）プロセス情報とを含んでいる。キャリアアグリゲーションの場合、ＰＤＳＣＨがどのキャリア上で送信されるかに関係する情報も含まれ得る。
【００５９】
アップリンク（ＵＬ）グラントのためのＤＣＩフォーマット、ＤＣＩフォーマット０およびＤＣＩフォーマット４、ならびに電力制御コマンドのための、ＤＣＩフォーマット３および３Ａもある。
【００６０】
動作の既存のやり方、たとえば、フレーム構造および制御シグナリングは、割り当てられた帯域幅においてのみ変動し得る、固定長の１ｍｓデータ割り当てために設計される。詳細には、現在のＤＣＩは、サブフレーム全体内のリソース割り当てを規定する。ダウンリンク送信のための短ＴＴＩ持続時間の動的設定を許容する明らかなソリューションはない。
【００６１】
述べられたように、レイテンシを低減するための１つのやり方は、ＴＴＩを低減することであり、１ｍｓの持続時間をもつリソースを割り振る代わりに、その場合、いくつかの直交周波数分割多元接続（ＯＦＤＭ）またはシングルキャリア周波数分割多元接続（ＳＣ−ＦＤＭＡ）シンボルなど、より短い持続時間をもつリソースを割り振る必要がある。これは、そのような短いスケジューリング割り振りの指示を可能にするＵＥ固有制御シグナリングの必要を暗示する。
【００６２】
さらに、（より短いＴＴＩは、より高いオーバーヘッドおよび／またはより悪い復調性能を招き得るので）スペクトル効率を最適化するために、ＴＴＩ持続時間の間で、たとえばレガシー１ｍｓ  ＴＴＩとより短いＴＴＩとの間で、動的に切り替えることが可能である必要もある。
【００６３】
短ＰＤＳＣＨ（ｓＰＤＳＣＨ）および短ＰＵＳＣＨ（ｓＰＵＳＣＨ）は、それぞれ、短ＴＴＩをもつダウンリンクおよびアップリンク物理共有チャネルを示す。同様に、短ＰＤＣＣＨ（ｓＰＤＣＣＨ）は、短ＴＴＩをもつダウンリンク物理制御チャネルを示すために使用される。
【００６４】
新しいＤＣＩフォーマットは、時間ドメインスプリットフィールドを導入することによって、短ＴＴＩ設定をサポートするように規定され得る。しかしながら、そのような新しいＤＣＩフォーマットは、サブフレームごとに１回のみ送信されるＰＤＣＣＨを使用することに基づいて設計される。したがって、短ＴＴＩスケジューリング決定は、サブフレームごとにのみ行われ得る。
【００６５】
ＤＣＩは、異なるサブサブフレーム（ｓｕｂ−ｓｕｂｆｒａｍｅ）間で変動することができる高速ＤＣＩと、サブフレームごとに多くとも１回変化させられる低速ＤＣＩとに区分され得る。高速ＤＣＩは、ｓＰＤＣＣＨ送信を通してＵＥに伝達される。ＵＥは、異なるｓＰＤＣＣＨ候補リソースを監視し、ＵＥ自体を対象とするｓＰＤＣＣＨ送信を復号することを試みる。成功した場合、低速ＤＣＩとともに、ｓＰＤＣＣＨからの高速ＤＣＩは、ＵＥのためのｓＰＤＳＣＨ  ＤＬ割り振りまたは（ｓＰＵＳＣＨ  ＵＬグラント）を決定する。高速グラントの使用は、既存のＤＣＩフォーマットと比較してより小さいＤＣＩペイロードとともに、および必要なときのみ、１ｍｓごとに１回よりも頻繁に、ｓＰＤＳＣＨスケジューリング割り振りなどの制御情報をシグナリングする機会を提供する。
【００６６】
復調用参照信号（ＤＭＲＳ）ベースダウンリンク送信では、各短ＴＴＩについて送信されるＤＭＲＳをもつ１つまたは複数のＯＦＤＭシンボルは、ＴＴＩ長が低減されたとき、増加されたオーバーヘッドと、データレートの対応する減少とにつながる。
【００６７】
オーバーヘッドを低減するために、ダウンリンクの短いｓＰＤＳＣＨは、同じＵＥへの最近のＤＭＲＳ送信が行われた場合、ＤＭＲＳを必ずしも含んでいるとは限らない。ダウンリンク短ＴＴＩ中のＤＭＲＳの存在はｓＰＤＣＣＨ中でシグナリングされるか、または、ＵＥは、ＤＭＲＳが存在するか否かという２つの仮定の下で送信をブラインド復号することを試みる。この動的ＤＭＲＳ挿入は、短ＴＴＩ内でのアップリンク送信のためにｓＰＵＳＣＨにも適用され得る。
【００６８】
ＰＣＴ／ＥＰ２０１６／０５３３３３において提案されるように、サブフレーム内の各アップリンク／ダウンリンクｓＴＴＩ送信は、ユーザ固有であり、シンボルベースで、たとえばｓＰＤＣＣＨ上で送信される、専用高速ＤＣＩによってスケジュールされ得る。フレキシブルなｓＴＴＩ設定を許容するために、高速ＤＣＩは、ｓＰＤＳＣＨ／ｓＰＵＳＣＨの位置および長さを指示するためのｓＴＴＩ設定フィールドを含んでいる。その場合、高速ＤＣＩにおける主要なペイロード低減は、低速ＤＣＩによって伝達される周波数ドメインリソース割り当てに関して行われる。
【００６９】
提案されたシグナリングソリューションは、ｓＴＴＩ送信のフレキシブルな設定、たとえば、サブフレーム内のフレキシブルなＴＴＩ長を許容し、ＴＴＩ長が個々のＵＥニーズに適応されることを許容する。しかしながら、そのシグナリングソリューションはまた、より多くのシグナリングオーバーヘッドと高度ＨＡＲＱ設計とを追加し得る。シグナリングオーバーヘッドおよび実装複雑さが問題であるとき、依然として、有望なｓＴＴＩ送信機能、たとえば、アップリンク送信のためのＤＭＲＳ多重化、ダウンリンク送信とアップリンク送信の両方ための動的ＤＭＲＳ挿入をサポートしながら、簡略化されたダウンリンク割り振りおよびアップリンクスケジューリンググラントが設計される必要がある。
【００７０】
本明細書で提示される実施形態は、固定または異なるＴＴＩ長をサポートし、動的ＤＭＲＳ挿入機能をサポートし、これは、ＤＭＲＳオーバーヘッドを低減し、したがって、ダウンリンクｓＴＴＩ送信のためのリソース利用を改善することができる。
【００７１】
すべてのｓＴＴＩ  ＵＥにシグナリングされる固定ダウンリンクｓＴＴＩパターンを有することの別の利益は、この情報を検出することによって、ＵＥが、次いで、ｓＰＤＣＣＨ領域が、各ＤＬ−ｓＴＴＩにおいて固定であり、たとえば、各ＤＬ−ｓＴＴＩの始まりにある場合、ｓＰＤＣＣＨについてどこを探索すべきかを知ることである。
【００７２】
ダウンリンクｓＴＴＩ送信をサポートするためのシグナリング方法が提示される。
【００７３】
一実施形態では、ダウンリンクｓＴＴＩ設定、すなわち、データシンボルおよび参照シンボルの位置、ならびに各ＴＴＩ長は、ＵＥのための各サブフレームについて固定である。
【００７４】
一実施形態では、ダウンリンクｓＴＴＩ設定、すなわち、参照シンボルおよびデータシンボルの位置、ならびに各ＴＴＩ長は、各サブフレームについて固定である。ｓＴＴＩ設定は、ダウンリンクにおいてサブフレームベースで送信される低速ＤＣＩによってシグナリングされ、ｓＴＴＩ設定は、場合によっては、ユーザのグループについて共通である。
【００７５】
一実施形態では、ダウンリンクｓＴＴＩ送信は、ユーザ固有である高速ＤＣＩによってスケジュールされ、各サブフレームよりも速いレートで、たとえば、ＤＬにおいてシンボルベースで送信される。
【００７６】
また別の実施形態では、ｓＴＴＩの設定は、ＲＲＣシグナリング、またはＲＲＣシグナリングと低速および高速グラントとの組合せによって与えられる。
【００７７】
ダウンリンクｓＴＴＩ設定のいくつかの例が提示される。設定は、各サブフレームについて固定である。すべての設定について、「Ｒ」をもつボックスは、少なくとも１つのサブキャリアがセル固有参照シンボルを含んでいるＯＦＤＭシンボルを指す。
【００７８】
図３〜図５は、制御領域の異なるサイズについて、それぞれ、７つのＯＦＤＭシンボル、３つまたは４つのＯＦＤＭシンボル、および２つまたは３つのＯＦＤＭシンボルのｓＴＴＩ長をもつ、サブフレーム中のｓＴＴＩ設定の例を示す。図３に示されている７ＯＦＤＭシンボルｓＴＴＩ設定の場合、レガシーサブフレームは、２シンボルスロットに分割され、各スロットがｓＴＴＩを形成する。
【００７９】
図３〜図５に示されているすべての設定はスロット完結型であり、すなわち、スロット境界を横切るｓＴＴＩはない。スロットボーダーにおいてｓＴＴＩを終了することは、異なる長さをもつｓＴＴＩの時間多重化の機会を許容する。これは、ネットワークノードの観点からのより高いリソース使用量を生じる。
【００８０】
サブフレーム中の７シンボルＤＬ−ｓＴＴＩ設定の例が図３に提示される。図３ａでは、制御領域は１つのシンボルからなる。図３ｂでは、制御領域は２つのシンボルからなり、図３ｃでは、制御領域は３つのシンボルからなる。制御領域はグリッドでマークされ、ＴＴＩはダッシュでマークされる。
【００８１】
サブフレーム中の３／４シンボルＤＬ−ｓＴＴＩ設定の例が図４に提示される。図４ａでは、制御領域は１つのシンボルからなる。図４ｂでは、制御領域は２つのシンボルからなり、図４ｃでは、制御領域は３つのシンボルからなる。制御領域はグリッドでマークされ、ＴＴＩはダッシュでマークされる。
【００８２】
制御領域の異なるサイズのためのサブフレーム中の３／４シンボルＤＬ−ｓＴＴＩ設定の例が図４に提示された。異なる長さをもつｓＴＴＩの時間多重化を許容するための別のやり方は、すべての異なる設定について同じＯＦＤＭシンボルにおいて終了するｓＴＴＩを有することである。このシンボルは、必ずしもサブフレームの第１のスロットの最後のシンボルである必要があるとは限らない。
【００８３】
図６〜図８は、異なるｓＴＴＩ長とサブフレームの制御領域の異なるサイズとのためのＤＬ−ｓＴＴＩ設定の別のセットを示し、その制御領域はＰＣＦＩＣＨによって設定され得る。異なるｓＴＴＩ設定が、異なる制御領域サイズのために規定され得る。図ａ、図ｂ、および図ｃは、それぞれ、サイズ１、２、３のＯＦＤＭシンボル期間の制御領域に対応する。図６〜図８に示されているすべての設定では、シンボル７とシンボル８との間にｓＴＴＩ境界がある。したがって、異なるＴＴＩ長間の時間多重化が、依然として、共通境界シンボルの後にｓＴＴＩパターンを切り替えることによってサポートされ得る。たとえば、図６に示されている６／７シンボルｓＴＴＩのためのパターンがシンボル０〜７において適用され得、図８に示されている２／３シンボルｓＴＴＩのためのパターンがシンボル８〜１３において適用される。
【００８４】
シンボル７とシンボル８との間にｓＴＴＩ境界をもつ、サブフレーム中の６／７シンボルＤＬ−ｓＴＴＩ設定の例が、図６ａ〜図６ｃに提示される。
【００８５】
シンボル７とシンボル８との間にｓＴＴＩ境界をもつ、サブフレーム中の３／４シンボルＤＬ−ｓＴＴＩ設定の例が、図７ａ〜図７ｃに提示される。
【００８６】
シンボル７とシンボル８との間にｓＴＴＩ境界をもつ、サブフレーム中の２／３シンボルＤＬ−ｓＴＴＩ設定の例が、図８ａ〜図８ｃに提示される。
【００８７】
上記に示されたすべての例では、ｓＴＴＩが制御領域からなる場合、データ送信のために利用可能な少なくとも２つのＯＦＤＭシンボルがある。ＤＬ−ｓＴＴＩ送信のための周波数割り当てが大きい場合、第１のＴＴＩ中でデータ送信のために使用される１つのシンボルのみを有することが可能であり得る。
【００８８】
上記に示されたすべての設定では、ｓＴＴＩ送信の開始位置は固定であり、すなわち、ｓＴＴＩ開始位置は、ＰＤＣＣＨ終了位置とともに移動しない。これは、ｓＰＤＣＣＨのための探索空間の設計を簡略化するために有益であり得る。
【００８９】
上記に示された設定は、セル固有参照信号（ＣＲＳ）ベースＤＬ−ｓＴＴＩ送信について示されている。しかしながら、これらの設定は、それらの設定が、各設定について（周波数および時間ドメインにおいて）異なる参照信号（ＲＳ）位置を有することになることを除いて、ＤＭＲＳベースＤＬ−ｓＴＴＩ送信のためにも適用され得る。
【００９０】
図９は、２シンボル制御領域サイズの場合を考慮した、ＤＭＲＳベースＤＬ−ｓＴＴＩ送信のためのリソースブロックペア内のサブフレーム中の２シンボルＤＬ−ｓＴＴＩ設定の一例を示す。この例では、ＤＭＲＳは、いくつかのアンテナポートのためのＤＭＲＳが、直交カバーコード（ＯＣＣ）を使用することによって同じリソースエレメントを共有することができるように、２つのＯＦＤＭシンボルをスパンしている。代替ＤＭＲＳ設計では、各ｓＴＴＩ内の１つのＯＦＤＭシンボルのみがＤＭＲＳのために使用される。また、図９中のＣＲＳは、２つのアンテナポートに基づく。
【００９１】
図９では、各行がサブキャリアを示し、各列がＯＦＤＭシンボルに対応する。青ボックスは、ＤＭＲＳが挿入されるシンボルである。図９ａでは、ＤＭＲＳは、各ｓＴＴＩにおいて送信される。ｓＴＴＩ０とｓＴＴＩ１とが同じＵＥに割り振られ、チャネルのコヒーレンス時間が４つのシンボルよりも大きい場合、ｓＴＴＩ１中のＤＭＲＳシンボルは、図９ｂに示されているように、代わりにデータ送信のために使用され得る。ｓＴＴＩ０とｓＴＴＩ１とｓＴＴＩ２とが同じＵＥに割り振られ、チャネルのコヒーレンス時間が６つのシンボルよりも大きい場合、ｓＴＴＩ１およびｓＴＴＩ２中のＤＭＲＳシンボルは、図９ｃに示されているように、代わりにデータ送信のために使用され得る。この動的ＤＭＲＳ挿入は、ＤＭＲＳオーバーヘッドを低減することができる。図９ｂおよび図９ｃに示されている例は、動的ＤＭＲＳ挿入が適用されるｓＴＴＩを明示的に指定する。この設定を規定する別のやり方は、高速ＤＣＩによってＤＭＲＳ挿入ｓＴＴＩを暗黙的に指示することであり、すなわち、ＵＥが、前のＴＴＩにおいてスケジュールされ、そこでＤＭＲＳを送られた場合、ＵＥは、後続のｓＴＴＩにおいてＤＭＲＳを予想しないものとする。
【００９２】
異なる長さをもつｓＴＴＩの時間多重化の機会を維持するために、動的ＤＭＲＳ挿入は、共通境界シンボルを横断しないＯＦＤＭシンボル内でのみ許容されるべきである。
【００９３】
図９は、各ｓＴＴＩにおいて送信されるＤＭＲＳ、２つのｓＴＴＩごとに送信されるＤＭＲＳ、３つのｓＴＴＩごとに送信されるＤＭＲＳの、ＤＭＲＳベース送信のためのサブフレーム中の２シンボルＤＬ−ｓＴＴＩ設定の一例を示す。
【００９４】
この例は、ＤＭＲＳベースＤＬ−ｓＴＴＩ送信の場合のための、２シンボル制御領域をもつサブフレーム中の２シンボルＤＬ−ｓＴＴＩ設定を示す。他のＴＴＩ長をもつ、および／または制御領域の他のサイズをもつ、ＤＭＲＳベースＤＬ送信のための固定ＤＬ−ｓＴＴＩパターンを設定するために、同じ方法論が適用され得る。
【００９５】
ＤＬ−ｓＴＴＩ設定のセットが、あらかじめ規定され、ネットワークノード、ｅノードＢと、ｓＴＴＩ  ＵＥとの両方に知られると仮定される。ＤＬ−ｓＴＴＩ設定は、ダウンリンクにおいてサブフレームベースで送信される低速ＤＣＩを送ることによってシグナリングされ、ＤＬ−ｓＴＴＩ設定は、ユーザのグループについて共通である。別の実施形態では、この設定は、上位レイヤシグナリング、たとえばＲＲＣによって行われる。
【００９６】
一例として、６つのｓＴＴＩ設定が、ダウンリンク短ＴＴＩ送信のためにあらかじめ規定される。３ビットのｓＴＴＩ設定インデックスフィールドが、表１で与えられる設定のマッピングを用いて、低速ＤＣＩ中にまたはＲＲＣ設定によって導入される。
2019517199.tif 000007
【００９７】
図３〜図５中のＲＳパターンは、シンボル６とシンボル７との間に共通ｓＴＴＩ境界を有するので、シンボル０〜６とシンボル７〜１３とが異なるＲＳパターンに従うｓＴＴＩ設定を含むように表１を拡張することが可能である。たとえば、シンボル０〜６は、図３で与えられたパターンに従うことができ、サブフレームのシンボル７〜１３は、図５で与えられたパターンに従う。そうするために、ｓＴＴＩ設定のビット数が、これらの追加のｓＴＴＩ設定を指すために増加される必要がある。
【００９８】
この例では、各ＵＥについて、ＵＥのＤＬ−ｓＴＴＩ送信のために設定された送信モードは、ＲＲＣによってシグナリングされる、そのＵＥのレガシーＴＴＩ送信のために設定された送信モードと同じであると仮定される。したがって、低速ＤＣＩ中で、またはＲＲＣ設定によって、ＤＬ−ｓＴＴＩ送信のための送信モードを指定する必要はない。
【００９９】
一実施形態では、ＤＬ−ｓＴＴＩ送信のためにＵＥのための異なる送信モードを設定する必要がある場合、送信モードを指示するために、より多くのビットが設定インデックス中に追加され得るか、あるいは別個のフィールドが、低速ＤＣＩ中に追加されるか、またはＲＲＣ設定によってシグナリングされ得る。
【０１００】
現在のサブフレーム内の復号された低速ＤＣＩに基づいて、ｓＴＴＩ  ＵＥは、このサブフレームのためのＤＬ−ｓＴＴＩ設定を知ることが可能である。サブフレーム内の各ＤＬ短ＴＴＩ送信は、ユーザ固有であり、ダウンリンクにおいてシンボルベースで送信される、専用高速ＤＣＩによってスケジュールされる。高速グラントは、トランスポートフォーマットに関する情報、および多入力多出力（ＭＩＭＯ）送信の場合のプリコーディング情報などを含んでいる。
【０１０１】
このサブフレーム中の復号されたＤＬ−ｓＴＴＩ設定の情報を使用することによって、ＵＥはまた、ｓＰＤＣＣＨ領域が、各ＤＬ−ｓＴＴＩにおいて固定であり、たとえば、各ＤＬ−ｓＴＴＩの始まりにある場合、ｓＰＤＣＣＨについてどこを探索すべきかを知ることができる。
【０１０２】
アップリンクｓＴＴＩパターンも各サブフレームについて固定である場合、ＤＬ−ｓＴＴＩパターンおよびＵＬ−ｓＴＴＩパターンは、ビットの限られたセットで一緒に指示され得る。ＤＬ−ｓＴＴＩパターンとＵＬ−ｓＴＴＩパターンとの組合せは、スケジューリングタイミングと、ＨＡＲＱタイミングと、ｓＰＵＣＣＨペイロードと、ｓＰＤＣＣＨ探索空間とを考慮に入れることによって最適化され得る。一実施形態では、低速ＤＣＩ中の共通ｓＴＴＩパターンは、ダウンリンクおよびアップリンクのための異なるサブフレーム中で有効である。ここで、低速ＤＣＩは、現在のサブフレーム中のダウンリンクｓＴＴＩパターンと、将来のサブフレーム中のアップリンクｓＴＴＩパターンとを指示する。この将来のサブフレームは、低速ＤＣＩを含んでいるサブフレームの後に続くサブフレームであり得る。一実施形態では、低速ＤＣＩ中でアップリンク周波数割り当てのために使用されるのと同じ時間オフセットが、アップリンクｓＴＴＩパターンオフセットのためにも使用される。別の実施形態では、アップリンク高速ＤＣＩのために使用されるのと同じ時間オフセットが、アップリンクｓＴＴＩパターンオフセットのための時間オフセットでもある。
【０１０３】
別の実施形態では、ＵＥは、特定のｓＴＴＩ長のために、低速ＤＣＩまたはＲＲＣのいずれかによって、および両方とも上記の特定の表に従うのではなく、むしろ、詳細に、たとえば、スロットベースで、２／３または４／３の長さに従って、設定される。ＵＥは、ｓＴＴＩ帯域の開始位置に基づいて、ハイライト上記の設定のうちのいずれを仮定すべきかを仮定することができる。開始位置は、ＰＣＦＩＣＨによって与えられるか、またはＲＲＣによってシグナリングされ得る。その場合、ｅＮＢも、同じｓＴＴＩ長に従って動作するであろう。
【０１０４】
一実施形態では、ＤＭＲＳベースＤＬ−ｓＴＴＩ設定では、動的ＤＭＲＳ挿入は、いくつかの異なるやり方でサポートされ得る。１つの手法は、動的ＤＭＲＳ挿入がどこで適用されるかを、固定ｓＴＴＩ設定中で明示的に指定すること、たとえば、図９ｂおよび図９ｃによって、動的ＤＭＲＳ挿入をサポートすることである。別のやり方は、高速ＤＣＩ、すなわち、このｓＴＴＩにおいてＤＭＲＳを送信すべきか否かを指示するための高速ＤＣＩフォーマット中のビットフィールドによって、ＤＭＲＳ挿入を明示的に指示することである。第３のやり方は、あらかじめ規定されたスケジューリング仮定によってＤＭＲＳ挿入ｓＴＴＩを暗黙的に指示することであり、すなわち、ＵＥが、前のＴＴＩにおいてスケジュールされ、そこでＤＭＲＳを送られた場合、ＵＥは、後続のｓＴＴＩにおいてＤＭＲＳを予想しないものとする。
【０１０５】
図１は、本明細書で提示される実施形態が適用され得る、通信ネットワーク１００を示す概略図である。通信ネットワーク１００は、少なくとも１つのネットワークノード２００を備える。ネットワークノード２００の機能と、ネットワークノード２００が通信ネットワーク１００中の他のエンティティ、ノード、およびデバイスとどのように対話するかとが、以下でさらに開示される。
【０１０６】
通信ネットワーク１００は、少なくとも１つの無線アクセスネットワークノード１４０をさらに備える。少なくとも１つの無線アクセスネットワークノード１４０は、無線アクセスネットワーク１１０の一部であり、コアネットワーク１２０に動作可能に接続され、コアネットワーク１２０は、サービスネットワーク１３０に動作可能に接続される。少なくとも１つの無線アクセスネットワークノード１４０は、無線アクセスネットワーク１１０中のネットワークアクセスを提供する。少なくとも１つの無線アクセスネットワークノード１４０によってサービスされるワイヤレスデバイス３００ａ、３００ｂは、それによって、サービスにアクセスすることと、コアネットワーク１２０およびサービスネットワーク１３０とデータを交換することとを可能にされる。
【０１０７】
ワイヤレスデバイス３００ａ、３００ｂの例は、限定はしないが、移動局、モバイルフォン、ハンドセット、ワイヤレスローカルループフォン、ユーザ機器（ＵＥ）、スマートフォン、ラップトップコンピュータ、タブレットコンピュータ、ネットワーク装備センサー、ワイヤレスモデム、およびモノのインターネットデバイスを含む。無線アクセスネットワークノード１２０の例は、限定はしないが、無線基地局、基地トランシーバ局、ノードＢ、エボルブドノードＢ、アクセスポイント、およびアクセスノードを含む。通信ネットワーク１００は、複数の無線アクセスネットワークノード１２０を備え得、各々は、複数のワイヤレスデバイス３００ａ、３００ｂにネットワークアクセスを提供する。本明細書で開示される実施形態は、いかなる特定の数のネットワークノード２００、無線アクセスネットワークノード１２０、またはワイヤレスデバイス３００ａ、３００ｂにも限定されない。
【０１０８】
ワイヤレスデバイス３００ａ、３００ｂは、サービスにアクセスし、コアネットワーク１２０およびサービスネットワーク１３０にパケット中のデータを送信することによって、および無線アクセスネットワークノード１４０を介してコアネットワーク１２０およびサービスネットワーク１３０からパケット中のデータを受信することによって、コアネットワーク１２０およびサービスネットワーク１３０とデータを交換する。
【０１０９】
パケットレイテンシは、ネットワーク性能を劣化させるとして上記で識別された。パケットレイテンシ低減に関して対処すべき１つのエリアは、送信時間間隔（ＴＴＩ）の長さに対処することによる、データおよび制御シグナリングのトランスポート時間の低減である。ＬＴＥでは、ＴＴＩは、長さ１ｍｓの１つのサブフレームに対応する。１つのそのような１ｍｓ  ＴＴＩは、ノーマルサイクリックプレフィックスの場合、１４個の直交周波数分割多元接続（ＯＦＤＭ）またはシングルキャリア周波数分割多元接続（ＳＣ−ＦＤＭＡ）シンボルを使用することによって構成され、拡張サイクリックプレフィックスの場合、１２個のＯＦＤＭまたはＳＣ−ＦＤＭＡシンボルを使用することによって構成される。
【０１１０】
本明細書で開示される実施形態は、ワイヤレスデバイス３００ａにダウンリンク送信のための設定を提供するための機構に関する。その機構は、ＬＴＥ規格、または現在開発されている３ＧＰＰ新無線技術を含む、モバイル通信規格の将来世代に準拠する通信システムにおいて実装され得る。この目的で、ネットワークノード２００と、ネットワークノード２００によって実施される方法と、たとえばコンピュータプログラムの形態で、コードを備えるコンピュータプログラム製品とが提供され、コードは、ネットワークノード２００のプロセッサ上で起動されたとき、ネットワークノード２００に方法を実施させる。
【０１１１】
本明細書で開示される実施形態は、さらに、ネットワークノード２００からのダウンリンク送信のための設定を受信するための機構に関する。そのような機構を取得するために、ワイヤレスデバイス３００ａ、３００ｂと、ワイヤレスデバイス３００ａ、３００ｂによって実施される方法と、たとえばコンピュータプログラムの形態で、コードを備えるコンピュータプログラム製品とがさらに提供され、コードは、ワイヤレスデバイス３００ａ、３００ｂのプロセッサ上で起動されたとき、ワイヤレスデバイス３００ａ、３００ｂに方法を実施させる。
【０１１２】
本明細書で開示される実施形態によれば、ＴＴＩは、レガシーＴＴＩに対して短縮され、すなわち、１ｍｓのサブフレームよりも短い。短ＴＴＩ（ｓＴＴＩ）は、時間的に任意の持続時間を割り振られ、１ｍｓサブフレーム内のいくつかのＯＦＤＭまたはＳＣ−ＦＤＭＡシンボル上にリソースを備えることができる。一例として、短いサブフレームの持続時間は、０．５ｍｓ、すなわち、ノーマルサイクリックプレフィックスをもつ事例では７つのＯＦＤＭシンボルまたはＳＣ−ＦＤＭＡシンボルであり得る。別の例として、短ＴＴＩの持続時間は、２つのＯＦＤＭシンボルであり得る。ｓＴＴＩは、１つのシンボルから７つのシンボルの間、好ましくは２つのシンボルの持続時間を有すると考えられ得る。ＴＴＩパターンは、ｓＴＴＩ持続時間をカバーするように相応に適応され得る。
【０１１３】
図２Ａを参照すると、ワイヤレスデバイス３００ａにダウンリンク送信のための設定を提供するための方法が提示される。本方法は、ネットワークノード２００によって実施され、Ｓ１０２において、短送信時間間隔（ｓＴＴＩ）におけるダウンリンク送信のための設定を備えるＤＣＩメッセージを送信することを含む。特に、ＤＬ送信は、ｓＴＴＩのためのＴＴＩ周波数帯域中で行われ得、ＤＣＩメッセージによって設定され得る。
【０１１４】
設定は、参照シンボルとデータシンボルとの位置を備え得る。参照シンボルは、ＤＬ−ＤＭＲＳまたはセル固有参照信号（ＣＲＳ）であり得る。設定はｓＴＴＩ長を備え得る。
【０１１５】
ｓＴＴＩは、各サブフレームのための固定長、特に２つまたは７つのシンボルを有し得る。別の例として、サブフレームは、固定長をもついくつかのｓＴＴＩを有し得る。各ｓＴＴＩは、サブフレームよりも時間的に短く、各ｓＴＴＩは、少なくとも１つのＯＦＤＭまたはＳＣ−ＦＤＭＡシンボル期間を備える。
【０１１６】
設定はｓＴＴＩ長を備え得る。
【０１１７】
ｓＴＴＩは、各サブフレームのための固定長を有し得る。
【０１１８】
本方法は、Ｓ１０６において、ＤＣＩメッセージの設定に従って、短物理ダウンリンク共有チャネル（ｓＰＤＳＣＨ）上でワイヤレスデバイスにデータ送信を送信することをさらに含み得る。
【０１１９】
ＤＣＩは低速ＤＣＩであり得る。低速ＤＣＩメッセージはワイヤレスデバイスのグループに送られ得る。低速ＤＣＩメッセージは、サブフレームベースで送られ得る。
【０１２０】
ＤＣＩは高速ＤＣＩであり得、その場合、高速ＤＣＩメッセージは特定のワイヤレスデバイスに送られる。高速ＤＣＩメッセージは、シンボルベースまたはｓＴＴＩベースで送られ得る。
【０１２１】
ｓＴＴＩは固定パターンを有し得る。
【０１２２】
ｓＴＴＩは、サブフレーム内にＤＬ−ｓＴＴＩデータ送信のための固定開始シンボルを有し得る。固定開始シンボルは、ＤＬ−ｓＴＴＩデータ送信が実施され得るサブフレーム内の第１のシンボルであり得る。固定開始シンボルは、ＤＬサブフレームの制御領域に応じて選択され得る。固定開始シンボルは、物理制御フォーマット指示チャネル（ＰＣＦＩＣＨ）によって、または無線リソース制御（ＲＲＣ）によってシグナリングされ得る。
【０１２３】
本方法は、Ｓ１００において、使用されるべきｓＴＴＩパターンを決定することをさらに含み得る。決定することはレイテンシ要件に基づき得る。
【０１２４】
ｓＴＴＩは、第１の固定パターンと第２の固定パターンとを有し得る。
【０１２５】
ｓＴＴＩパターンは、連続順序でシンボル長３、２、２、２、２、３からなり得るか、または連続順序でシンボル長２、３、２、２、２、３からなり得る。ｓＴＴＩパターンは、（ａ）１つの３シンボルｓＴＴＩ、４つの２シンボルｓＴＴＩ、および１つの３シンボルｓＴＴＩのシーケンス、（ｂ）１つの２シンボルｓＴＴＩ、１つの３シンボルｓＴＴＩ、３つの２シンボルｓＴＴＩおよび１つの３シンボルｓＴＴＩのシーケンスのうちの１つまたは複数であり得る。
【０１２６】
１または３の開始シンボルインデックスに続くｓＴＴＩデータ送信は第１のパターンを有し得、２の開始シンボルインデックスに続くｓＴＴＩデータ送信は第２のパターンを有し得る。ｓＴＴＩパターンは、１または３の開始シンボルインデックスに続いて連続順序でシンボル長３、２、２、２、２、３からなり得、２の開始シンボルインデックスに続いて連続順序でシンボル長２、３、２、２、２、３からなり得、第２のパターンを有する。ＰＤＣＣＨ領域中の１つまたは３つのシンボルの両方とともに同じパターンが使用され得る。その場合、第１のＴＴＩは長さ３のＴＴＩである。ＰＤＣＣＨ領域が１つのシンボルである場合、３つのシンボルのうちの２つの最後のシンボルはデータのために使用され、ＰＤＣＣＨ領域が３つのシンボルである場合、このＴＴＩはデータのために使用されない。
【０１２７】
本方法は、サブフレーム間で異なるパターン間で切り替えることをさらに含み得る。
【０１２８】
ネットワークノード２００からのダウンリンク送信の設定のための方法が提示される。本方法は、ワイヤレスデバイス３００ａによって実施され、Ｓ２０２において、ｓＴＴＩにおけるダウンリンク送信のための設定を備えるＤＣＩメッセージを受信することを含む。ＤＣＩメッセージは、ｓＴＴＩのためのＴＴＩ周波数帯域中で受信され得る。
【０１２９】
設定は、参照シンボルとデータシンボルとの位置を備え得る。参照シンボルはＤＬ−ＤＭＲＳであり得る。
【０１３０】
設定はｓＴＴＩ長を備え得る。
【０１３１】
ｓＴＴＩは、各サブフレームのための固定長を有し得る。ｓＴＴＩ長は、２つまたは７つのシンボルであり得る。
【０１３２】
本方法は、Ｓ２０４において、ＤＣＩメッセージの設定に従って、短物理ダウンリンク共有チャネル（ｓＰＤＳＣＨ）上でネットワークノードからデータ送信を受信することをさらに含み得る。
【０１３３】
ＤＣＩメッセージは、低速ＤＣＩメッセージであり得、低速ＤＣＩは、サブフレームベースで送られ得る。
【０１３４】
ＤＣＩメッセージは高速ＤＣＩメッセージであり得、高速ＤＣＩメッセージは特定のワイヤレスデバイスに送られ得る。高速ＤＣＩメッセージは、シンボルまたはｓＴＴＩベースで送られ得る。
【０１３５】
ｓＴＴＩは、各サブフレームのための固定パターンを有し得る。
【０１３６】
ｓＴＴＩは、データ送信のためのＤＬサブフレーム内に固定開始シンボルを有し得る。固定開始シンボルは、ＤＬ−ｓＴＴＩデータ送信が実施され得るサブフレーム内の第１のシンボルであり得る。固定開始シンボルは、ＤＬサブフレームの制御領域に応じて選択され得る。固定開始シンボルは、物理制御フォーマット指示チャネル（ＰＣＦＩＣＨ）によって、または無線リソース制御（ＲＲＣ）通信によってシグナリングされ得る。
【０１３７】
本方法は、Ｓ２０３において、使用されるべきｓＴＴＩパターンを決定することをさらに含み得る。決定することは、データ送信のためのＤＬサブフレーム内の開始シンボルインデックスに基づき得る。
【０１３８】
ｓＴＴＩは、第１の固定パターンと第２の固定パターンとを有し得る。
【０１３９】
ｓＴＴＩパターンは、連続順序でシンボル長３、２、２、２、２、３からなり得るか、または連続順序でシンボル長２、３、２、２、２、３からなり得る。
【０１４０】
１または３の開始シンボルインデックスに続くｓＴＴＩデータ送信は第１のパターンを有し得、２の開始シンボルインデックスに続くｓＴＴＩデータ送信は第２のパターンを有し得る。ｓＴＴＩパターンは、１または３の開始シンボルインデックスに続いて連続順序でシンボル長３、２、２、２、２、３からなり得、２の開始シンボルインデックスに続いて連続順序でシンボル長２、３、２、２、２、３からなり得、第２のパターンを有する。
【０１４１】
本方法は、サブフレーム間で異なるパターン間で切り替えることをさらに含み得る。
【０１４２】
ワイヤレスデバイス３００ａにダウンリンク送信のための設定を提供するための方法が提示される。本方法は、ネットワークノード２００によって実施され、Ｓ１０２において、ｓＴＴＩにおけるＤＬ送信のための設定を備えるＲＲＣメッセージを送信することを含む。
【０１４３】
ネットワークノード２００からのダウンリンク送信の設定のための方法が提示される。本方法は、ワイヤレスデバイス３００ａによって実施され、Ｓ２０２において、ｓＴＴＩにおけるダウンリンク送信のための設定を備えるＲＲＣメッセージを受信することを含む。
【０１４４】
ワイヤレスデバイス３００ａにダウンリンク送信のための設定を提供するためのネットワークノードが提示される。ネットワークノード２００は、プロセッサ２１０とコンピュータプログラム製品２１２、２１３とを備える。コンピュータプログラム製品は、Ｓ１０２において、プロセッサによって実行されたとき、ネットワークノードに、ｓＴＴＩにおけるダウンリンク送信のための設定を備えるＤＣＩメッセージを送信させる命令を記憶する。
【０１４５】
ネットワークノード２００からのダウンリンク送信の設定のためのワイヤレスデバイスが提示される。ワイヤレスデバイス３００ａは、プロセッサ３１０とコンピュータプログラム製品３１２、３１３とを備える。コンピュータプログラム製品は、Ｓ２０２において、プロセッサによって実行されたとき、ワイヤレスデバイスに、ｓＴＴＩにおけるダウンリンク送信のための設定を備えるＤＣＩメッセージを受信させる命令を記憶する。
【０１４６】
ワイヤレスデバイス３００ａにダウンリンク送信のための設定を提供するためのネットワークノードが提示される。ネットワークノード２００は、プロセッサ２１０とコンピュータプログラム製品２１２、２１３とを備える。コンピュータプログラム製品は、Ｓ１０２において、プロセッサによって実行されたとき、ネットワークノードに、ｓＴＴＩにおけるダウンリンク送信のための設定を備えるＲＲＣメッセージを送信させる命令を記憶する。
【０１４７】
ネットワークノード２００からのダウンリンク送信の設定のためのワイヤレスデバイスが提示される。ワイヤレスデバイス３００ａは、プロセッサ３１０とコンピュータプログラム製品３１２、３１３とを備える。コンピュータプログラム製品は、Ｓ２０２において、プロセッサによって実行されたとき、ワイヤレスデバイスに、ｓＴＴＩにおけるダウンリンク送信のための設定を備えるＲＲＣメッセージを受信させる命令を記憶する。
【０１４８】
ワイヤレスデバイス３００ａにダウンリンク送信のための設定を提供するためのネットワークノードが提示される。ネットワークノード２００は、Ｓ１０２において、ｓＴＴＩにおけるダウンリンク送信のための設定を備えるＤＣＩメッセージを送信するための通信マネージャ２５０を備える。
【０１４９】
ネットワークノード２００からのダウンリンク送信の設定のためのワイヤレスデバイスが提示される。ワイヤレスデバイス３００ａは、Ｓ２０２において、ｓＴＴＩにおけるダウンリンク送信のための設定を備えるＤＣＩメッセージを受信するための通信マネージャ３５０を備える。
【０１５０】
ワイヤレスデバイス３００ａにダウンリンク送信のための設定を提供するためのネットワークノードが提示される。ネットワークノード２００は、Ｓ１０２において、ｓＴＴＩにおけるダウンリンク送信のための設定を備えるＲＲＣメッセージを送信するための通信マネージャ２５０を備える。
【０１５１】
ネットワークノード２００からのダウンリンク送信の設定のためのワイヤレスデバイスが提示される。ワイヤレスデバイス３００ａは、Ｓ２０２において、ｓＴＴＩにおけるダウンリンク送信のための設定を備えるＲＲＣメッセージを受信するための通信マネージャ３５０を備える。
【０１５２】
ワイヤレスデバイス３００ａにダウンリンク送信のための設定を提供するためのコンピュータプログラム２１４、２１５が提示される。コンピュータプログラムは、Ｓ１０２において、ネットワークノード２００上で起動されたとき、ネットワークノード２００に、ｓＴＴＩにおけるダウンリンク送信のための設定を備えるＤＣＩメッセージを送信させるコンピュータプログラムコードを備える。
【０１５３】
ネットワークノード２００からのダウンリンク送信の設定のためのコンピュータプログラム３１４、３１５が提示される。コンピュータプログラムは、Ｓ２０２において、ワイヤレス端末３００上で起動されたとき、ワイヤレス端末３００に、ｓＴＴＩにおけるダウンリンク送信のための設定を備えるＤＣＩメッセージを受信させるコンピュータプログラムコードを備える。
【０１５４】
ワイヤレスデバイス３００ａにダウンリンク送信のための設定を提供するためのコンピュータプログラム２１４、２１５が提示される。コンピュータプログラムは、Ｓ１０２において、ネットワークノード２００上で起動されたとき、ネットワークノード２００に、ｓＴＴＩにおけるダウンリンク送信のための設定を備えるＲＲＣメッセージを送信させるコンピュータプログラムコードを備える。
【０１５５】
ネットワークノード２００からのダウンリンク送信の設定のためのコンピュータプログラム３１４、３１５が提示される。コンピュータプログラムは、Ｓ２０２において、ワイヤレス端末３００上で起動されたとき、ワイヤレス端末３００に、ｓＴＴＩにおけるダウンリンク送信のための設定を備えるＲＲＣメッセージを受信させるコンピュータプログラムコードを備える。
【０１５６】
コンピュータプログラム製品２１２、２１３または３１２、３１３が提示される。コンピュータプログラム製品は、上記で説明されたコンピュータプログラム２１４、２１５または３１４、３１５と、コンピュータプログラム２６４、２６５または３６４、３６５が記憶されるコンピュータ可読記憶手段とを備える。
【０１５７】
図１１は、ネットワークノード２００のいくつかの構成要素を示す概略図である。プロセッサ２１０は、メモリに記憶されたコンピュータプログラム２１４のソフトウェア命令を実行することが可能な、好適な中央処理ユニット（ＣＰＵ）、マルチプロセッサ、マイクロコントローラ、デジタル信号プロセッサ（ＤＳＰ）、特定用途向け集積回路（ＡＳＩＣ）などのうちの１つまたは複数の任意の組合せを使用して提供され得る。したがって、メモリは、コンピュータプログラム製品２１２の一部であるか、またはコンピュータプログラム製品２１２の一部を形成すると考えられ得る。プロセッサ２１０は、図２Ａを参照しながら本明細書で説明された方法を実行するように設定され得る。
【０１５８】
メモリは、読取りおよび書込みメモリ（ＲＡＭ）と読取り専用メモリ（ＲＯＭ）との任意の組合せであり得る。メモリはまた、たとえば、磁気メモリ、光メモリ、固体メモリ、さらにはリモートでマウントされたメモリのうちのいずれか単独の１つまたは組合せであり得る、永続記憶装置を備え得る。
【０１５９】
また、たとえば、プロセッサ２１０におけるソフトウェア命令の実行中にデータを読み取るおよび／または記憶するために、データメモリの形態の第２のコンピュータプログラム製品２１３が提供され得る。データメモリは、読取りおよび書込みメモリ（ＲＡＭ）と読取り専用メモリ（ＲＯＭ）との任意の組合せであり得、また、たとえば、磁気メモリ、光メモリ、固体メモリ、さらにはリモートでマウントされたメモリのうちのいずれか単独の１つまたは組合せであり得る、永続記憶装置を備え得る。データメモリは、ネットワークノード２００のための機能を改善するために、たとえば、他のソフトウェア命令２１５を保持し得る。
【０１６０】
ネットワークノード２００は、たとえばユーザインターフェースを含む、入出力（Ｉ／Ｏ）インターフェース２１１をさらに備え得る。ネットワークノードは、他のノードからシグナリングを受信するように設定された受信機と、他のノードにシグナリングを送信するように設定された送信機とをさらに備え得る（図示せず）。ネットワークノードの他の構成要素は、本明細書で提示される概念を不明瞭にしないために省略される。
【０１６１】
図１３は、ネットワークノード２００の機能ブロックを示す概略図である。モジュールは、キャッシュサーバにおいて実行するコンピュータプログラムなどのソフトウェア命令のみ、または特定用途向け集積回路、フィールドプログラマブルゲートアレイ、ディスクリート論理構成要素、トランシーバなどのハードウェアのみなどとして、あるいはそれらの組合せとして実装され得る。代替実施形態では、機能ブロックのうちのいくつかはソフトウェアによって実装され、他はハードウェアによって実装され得る。モジュールは、図２Ａに示された方法中のステップに対応し、通信マネージャユニット２５０と決定マネージャユニット２５１とを備える。モジュールのうちの１つまたは複数がコンピュータプログラムによって実装される実施形態では、いくつかのプログラミング言語は、一般にプロセスモジュールを含んでいないので、これらのモジュールは、必ずしもプロセスモジュールに対応するとは限らず、命令が実装されることになるプログラミング言語に従って命令として書かれ得ることを理解されたい。
【０１６２】
通信マネージャ２５０は、ワイヤレスデバイス３００ａにダウンリンク送信のための設定を提供するためのものである。このモジュールは、図２Ａの送信ステップＳ１０２および送信ステップＳ１０６に対応する。このモジュールは、たとえば、コンピュータプログラムを起動するとき、図１１のプロセッサ２１０によって実装され得る。
【０１６３】
決定マネージャ２５１は、ワイヤレスデバイス３００ａにＤＬ送信のための設定を提供するように適応される。このモジュールは、決定ステップＳ１００（図２Ａ）に対応し、コンピュータプログラムを起動するとき、図１１のプロセッサ２１０によって実装され得る。
【０１６４】
図１０は、ワイヤレスデバイス３００のいくつかの構成要素を示す概略図である。プロセッサ３１０は、メモリに記憶されたコンピュータプログラム３１４のソフトウェア命令を実行することが可能な、好適なＣＰＵ、マルチプロセッサ、マイクロコントローラ、ＤＳＰ、ＡＳＩＣなどのうちの１つまたは複数の任意の組合せを使用して提供され得る。したがって、メモリは、コンピュータプログラム製品３１２の一部であるか、またはコンピュータプログラム製品３１２の一部を形成すると考えられ得る。プロセッサ３１０は、図２Ｂを参照しながら本明細書で説明された方法を実行するように設定され得る。
【０１６５】
メモリは、読取りおよび書込みメモリ（ＲＡＭ）と読取り専用メモリ（ＲＯＭ）との任意の組合せであり得る。メモリはまた、たとえば、磁気メモリ、光メモリ、固体メモリ、さらにはリモートでマウントされたメモリのうちのいずれか単独の１つまたは組合せであり得る、永続記憶装置を備え得る。
【０１６６】
また、たとえば、プロセッサ３１０におけるソフトウェア命令の実行中にデータを読み取るおよび／または記憶するために、データメモリの形態の第２のコンピュータプログラム製品３１３が提供され得る。データメモリは、読取りおよび書込みメモリ（ＲＡＭ）と読取り専用メモリ（ＲＯＭ）との任意の組合せであり得、また、たとえば、磁気メモリ、光メモリ、固体メモリ、さらにはリモートでマウントされたメモリのうちのいずれか単独の１つまたは組合せであり得る、永続記憶装置を備え得る。データメモリは、ワイヤレスデバイス３００のための機能を改善するために、たとえば、他のソフトウェア命令３１５を保持し得る。
【０１６７】
ワイヤレスデバイスは、たとえばユーザインターフェースを含む、入出力（Ｉ／Ｏ）インターフェース３１１をさらに備え得る。ワイヤレスデバイスは、他のノードからシグナリングを受信するように設定された受信機と、他のノードにシグナリングを送信するように設定された送信機とをさらに備え得る（図示せず）。ワイヤレスデバイスの他の構成要素は、本明細書で提示される概念を不明瞭にしないために省略される。
【０１６８】
図１２は、ワイヤレスデバイス３００の機能ブロックを示す概略図である。モジュールは、キャッシュサーバにおいて実行するコンピュータプログラムなどのソフトウェア命令のみ、または特定用途向け集積回路、フィールドプログラマブルゲートアレイ、ディスクリート論理構成要素、トランシーバなどのハードウェアのみなどとして、あるいはそれらの組合せとして実装され得る。代替実施形態では、機能ブロックのうちのいくつかはソフトウェアによって実装され、他はハードウェアによって実装され得る。モジュールは、図２Ｂに示された方法中のステップに対応し、通信マネージャユニット３５０と決定マネージャユニット３５１とを備える。モジュールのうちの１つまたは複数がコンピュータプログラムによって実装される実施形態では、いくつかのプログラミング言語は、一般にプロセスモジュールを含んでいないので、これらのモジュールは、必ずしもプロセスモジュールに対応するとは限らず、命令が実装されることになるプログラミング言語に従って命令として書かれ得ることを理解されたい。
【０１６９】
通信マネージャ３５０は、ネットワークノード２００からのダウンリンク送信の設定のためのものである。このモジュールは、図２Ｂの送信ステップＳ２０２および送信ステップＳ２０４に対応する。このモジュールは、たとえば、コンピュータプログラムを起動するとき、図１０のプロセッサ３１０によって実装され得る。
【０１７０】
決定マネージャ３５１は、ネットワークノード２００からのダウンリンク送信の設定のためのものである。このモジュールは、図２Ｂの決定ステップＳ２０３に対応する。このモジュールは、たとえば、コンピュータプログラムを起動するとき、図１０のプロセッサ３１０によって実装され得る。
【０１７１】
以降の実施形態の説明では、参照シグナリングの一例であるチャネル状態情報参照信号（ＣＳＩ−ＲＳ）への参照が行われる。ＣＳＩ−ＲＳは、ダウンリンクにおける２つの連続シンボルをスパンするセル固有信号である。図１４を参照されたい。サブフレーム中に可能な２０個の異なるＣＳＩ−ＲＳ位置がある。セルは、たとえば、あらかじめ規定されたパターンに従って、１、２、４、または８ＣＳＩ−ＲＳで設定され得る。１ＣＳＩ−ＲＳの場合、２ＣＳＩ−ＲＳのためのパターンが使用され得る。
【０１７２】
ＣＳＩ−ＲＳは、チャネル状態情報を収集し、干渉を推定するために、（たとえば、ＣＳＩプロシージャを実施する端末と協働して）ネットワークによって使用される。ＣＳＩ−ＲＳは、ゼロ電力のものであり（ミュートされ）得、これは、ＵＥが、ＵＥのサービングセルとは別のセルに関して測定することと、また、干渉測定を対象とするゼロ電力ＣＳＩ−ＲＳリソースとして規定される、設定されたＣＳＩ−ＩＭ（干渉測定）リソースに関して測定することとを可能にする。
【０１７３】
ｓＴＴＩ動作のためのＤＬパターンは、レガシーＬＴＥ  ＣＳＩ−ＲＳパターンが複数のｓＴＴＩにおいて終了し得るように、スロットに制限されないことがある。ＣＳＩ−ＩＭがネイバリングセル中で実施され、２つのシンボルが、異なる特性をもつ２つの異なるｓＴＴＩ送信に対応する場合、測定品質が影響を及ぼされ得る。
【０１７４】
しかしながら、本明細書では、シンボルインデックスまたはボーダーにおいて整合され得る、ＣＳＩ−ＲＳ全体を含んでいるＤＬ−ｓＴＴＩパターンが提示され、広範囲のＴＴＩ長、またはＴＴＩ長の変化を許容する。ＴＴＩパターンは、ＴＴＩパターンがサブフレーム内のスロットボーダーを横断しないように規定され得、および／または、１つのバージョンでは、サブフレームの第１のスロット（スロット０）に限定され得る。ＴＴＩのためのパターンは、本明細書で説明されるように、時間的におよび／またはいくつかのチャネル上で多重化され得る。代替または追加として、１つまたは複数のパターンは、関連付けられたシンボルインデックスによって表され得る、特定のシンボルまたはシンボルボーダーにおいて時間整合され得る。たとえば、整合されるシンボルは、現在のスロットの最後のシンボルの（時間的）末尾ボーダーに対応すると考えられ得る、このシンボルの（時間的）先行ボーダーに関係する次のスロットの第１のシンボルであり得る。
【０１７５】
提案されるソリューションは、チャネルおよび干渉推定の重要な部分であるＣＳＩ−ＲＳ測定の品質を維持しながら、特にダウンリンクｓＴＴＩ送信をサポートする。
【０１７６】
ｓＴＴＩをスロット内に制限することによって、ｓＴＴＩ長が、スロットボーダーにおいておよび／またはサブフレーム間で、変化させられ得る（パターン間の切替え）。また、周波数割り当てがスロット間で変化することができる周波数ホッピングリソース割り当て方式（仮想リソースブロックをもつタイプ２のリソース割り当て）が存在する。
【０１７７】
ＤＬにおけるｓＴＴＩ送信のための新しいパターンは、以下の条件うちの１つまたは複数に基づいて規定され得る。
−  ｓＴＴＩは、ＤＬサブフレーム中のＰＤＳＣＨの一部として規定される、および／または
−  ｓＴＴＩは、所与のインデックス（たとえば７）をもつシンボル、特にそのシンボルのボーダー、たとえば時間的に先行するボーダーにおいて整合される（たとえば、ｓＴＴＩはスロットボーダーを横断しない＝シンボルインデックス７における整合）、および／または
−  ＣＳＩ−ＲＳ／ＩＭペアは、１つのｓＴＴＩ中に含まれている、および／または
−  ｓＴＴＩは、可能なとき、指定された長さ（たとえば２つまたは７つのシンボル）のものであるべきである。
【０１７８】
一緒にとられた上記の条件は、図１５に示されているパターンにつながる。
【０１７９】
概して、ＴＴＩパターン（ｓＴＴＩパターン）は、ＴＴＩ持続時間または長さによって表され、および／あるいはＴＴＩ持続時間または長さに関連付けられ得る。
【０１８０】
図１５に見られるように、２シンボルＴＴＩ事例では、いくつかのＴＴＩは、３つのシンボル長に強制または拡張される。これは、いくつかのやり方で行われ得、２つのオプションが図１５に示されている。
【０１８１】
また別のオプションとして、図１６は、１ｏｓ（ＯＦＤＭシンボル長）ＰＤＣＣＨのためにスプリットが変化させられる２つの事例を示す。これは、使用されるＰＤＣＣＨシンボルの数とは無関係に、ＴＴＩの数を同じ（常に５つ）に保つために行われる。
【０１８２】
一実施形態として、２シンボル事例中のより長いＴＴＩが、ＵＬ−ｓＴＴＩスケジューリングによって必要とされる複数のＵＬ−ＤＣＩを含んでいるように、それらのＴＴＩの位置が選定される。これは、サブフレームごとに６または８ＵＬ−ｓＴＴＩ、およびサブフレームごとに５ＤＬ−ｓＴＴＩのみがあり、したがって、２つ以上のＵＬ−ｓＴＴＩが１つのＤＬ−ｓＴＴＩからスケジュールされることを必要とする場合に起こり得る。その場合、ＤＬパターンにおけるフレキシビリティが、余分のＵＬ−ＤＣＩメッセージが必要とされる、より長いＴＴＩを配置するために使用され得る。これは、まだ決定されていないＵＬタイミングに依存する。
【０１８３】
異なる長さをもつｓＴＴＩの時間多重化を許容するための別のやり方は、すべての異なる設定について同じＯＦＤＭシンボルにおいて終了するｓＴＴＩを有することである。このシンボルは、必ずしもサブフレームの第１のスロットの最後のシンボルである必要があるとは限らない。これは、周波数ホッピング割り当てを許容しないであろうが、より多くの等しいＴＴＩ長という利点を有し得る。これの一例が、３シンボルＴＴＩ長および６シンボルＴＴＩ長を用いて図１７に示されている。
【０１８４】
概して、各サブフレームまたはスロットに対して、１つまたは複数のＴＴＩパターンおよび／またはＴＴＩ長が関連付けられ得、したがって、１つまたは複数のＴＴＩパターンが１つのスロットまたはサブフレーム中に含まれ得る。ＴＴＩパターンは、ダウンリンク送信および／またはアップリンク送信に関係し得る。サブフレームにおいて、ダウンリンク送信、アップリンク送信、または両方を備えるかまたはスケジュールする、ＴＴＩパターンが配置されるかまたは割り当てられ得る。ＴＴＩパターンに対して、参照シグナリングパターン（ＲＳパターン）、および／または制御チャネルパターンが関連付けられるか、または（たとえば、ＴＴＩパターンがそれらのパターンを備えるように）割り振られ得る。ＲＳパターンは、たとえば、たとえばＤＬにおけるまたはＤＬのための、ＣＳＩ−ＲＳパターンおよび／またはＣＲＳパターン、ならびに／あるいは、たとえばアップリンクにおけるまたはアップリンクのための、ＳＲＳパターンを備え得る。制御チャネルパターンは、１つまたは複数の物理制御チャネル、たとえば、ＰＤＣＣＨおよび／またはＰＵＣＣＨに関係し得る。
【０１８５】
ＴＴＩパターンのようなパターン、または（ＴＴＩパターンの）参照シグナリングパターンは、それの送信、それぞれ、ＴＴＩパターン、または参照シグナリングのために使用される、特に時間／周波数および／または電力における、リソース配分を規定し得る。パターンは、たとえば、いくつのリソースエレメント（Ｒｅ）および／またはシンボルが、ＴＴＩまたはサブフレームまたはスロットのような所与の時間間隔において、および／あるいは、特に、ＲＳ送信のために使用されるサブキャリアの数に関係する、キャリアまたは周波数範囲上で送信されるかという観点から、時間および／または周波数における（シンボルまたはシグナリングの）密度に関して規定され、および／あるいはその密度を備えるかまたは指示し得る。概して、異なるビームフォーミング状態および／または異なるビーム受信状態に対して、異なるパターンが関連付けられ得る。
【０１８６】
ＤＬは、概して、ノードへの／（物理的におよび／または論理的に）ネットワークコアから遠く離れる方向への、特に基地局またはｅノードＢからＤ２Ｄ対応ノードまたはＵＥへの、データの送信を指し、ＵＬとは異なる指定されたスペクトル／帯域幅をしばしば使用する（たとえばＬＴＥ）。
【０１８７】
ＵＬは、概して、ノードへの／（物理的におよび／または論理的に）ネットワークコアにより近い方向への、特にＤ２Ｄ対応ノードまたはＵＥから基地局またはｅノードＢへの、データの送信を指す。Ｄ２Ｄのコンテキストでは、ＵＬは、セルラー通信においてｅＮＢへのＵＬ通信のために使用されるスペクトル／帯域幅であり得る、Ｄ２Ｄにおいて送信するために利用されるスペクトル／帯域幅を指すことがある。いくつかのＤ２Ｄ変形態では、Ｄ２Ｄ通信に関与するすべてのデバイスによる送信は、いくつかの変形態では、概して、ＵＬスペクトル／帯域幅／キャリア／周波数におけるものであり得る。
【０１８８】
図１０は、この例ではユーザ機器として実装され得る、ワイヤレスデバイスまたは端末３００を概略的に示す。端末３００は、メモリに接続されたコントローラを備え得る、制御回路を備え得る。端末の任意のモジュール、たとえば受信モジュールおよび／あるいは送信モジュールおよび／あるいは制御または処理モジュールは、特にコントローラ中のモジュールとして、制御回路において実装され、および／または制御回路によって実行可能であり得る。端末３００は、受信および送信または送受信機能を提供する無線回路をも備え得、無線回路は、制御回路に接続されるかまたは接続可能である。端末３００のアンテナ回路は、信号を集めるかまたは送り、および／または増幅するために、無線回路に接続されるかまたは接続可能であり得る。無線回路、および無線回路を制御する制御回路は、特に、本明細書で説明されるようにＥ−ＵＴＲＡＮ／ＬＴＥリソースを利用する、第１のセル／キャリアおよび第２のセル／キャリア上でのネットワークとのセルラー通信のために設定され得る。端末３００は、本明細書で開示される端末を動作させるための方法のうちのいずれかを行うように適応され得、特に、端末３００は、対応する回路、たとえば制御回路を備え得る。
【０１８９】
図１１は、特にｅノードＢであり得る、ネットワークノードまたは基地局２００を概略的に示す。ネットワークノード２００は、メモリに接続されたコントローラを備え得る、制御回路をさらに備え得る。ネットワークノードの任意のモジュール、たとえば受信モジュールおよび／あるいは送信モジュールおよび／あるいは制御または処理モジュールは、制御回路において実装され、および／または制御回路によって実行可能であり得る。制御回路は、受信機および送信機ならびに／またはトランシーバ機能を提供する、ネットワークノード２００の無線回路を制御するために接続され得る。アンテナ回路が、信号受信または伝送および／または増幅のために、無線回路に接続されるかまたは接続可能であり得る。ネットワークノード２００は、本明細書で開示されるネットワークノードを動作させるための方法のうちのいずれかを行うように適応され得、特に、ネットワークノード２００は、対応する回路、たとえば制御回路を備え得る。アンテナ回路は、アンテナアレイに接続され、および／またはアンテナアレイを備え得る。
【０１９０】
実装例
次に、異なるＴＴＩがＬＴＥにおいてどのようにサポートされ得るかと、ＨＡＲＱおよびグラントタイミングに対するどんな影響があるかとが説明される。
【０１９１】
１．  ＤＬサブフレーム
ＤＬについて、サブフレーム中のｓＴＴＩのレイアウトが、２つの異なる（ｓＴＴＩ）長さ、すなわち、２つのＯＦＤＭシンボル（ｏｓ）および７ｏｓのために提示される。ＵＬグラントタイミングおよびＤＬ−ＨＡＲＱタイミングの規定を簡略化するために、ＤＬ−ＴＴＩが固定開始位置を有することと、第１のＤＬ−ＴＴＩ長、およびいくつかの場合には、ＤＬ−ＴＴＩの数が、ＰＤＣＣＨのために使用されるシンボルの数に応じて変動することとが提案される。図１８を参照されたい。４つのＯＦＤＭシンボルの最長ＰＤＣＣＨ長は狭帯域動作を対象とするので、最長ＰＤＣＣＨ長をｓＴＴＩ動作のために使用することは、制御オーバーヘッドが非常に大きくなり得るので提案されない。
【０１９２】
サブフレーム内の２シンボルＤＬ−ｓＴＴＩの位置を規定するとき、ＣＳＩ−ＲＳパターンは、時間ドメインにおけるＣＳＩ−ＲＳペアが、２つの連続ＤＬ−ＴＴＩに重ならず、単一のｓＴＴＩ中に含まれているように、考慮されるべきである。これは、特に、ＣＳＩ−ＩＭを用いて正確な干渉測定を取得するために、ｓＴＴＩ特徴をＣＳＩ−ＲＳベース送信モードと組み合わせることを可能にする。
【０１９３】
図１８は、異なるＴＴＩ長およびＰＤＣＣＨ長のためのＤＬサブフレーム中のＴＴＩを示す。ＲおよびＣは、それぞれＣＲＳおよび潜在的ＣＳＩ−ＲＳをもつ、ＯＦＤＭシンボルを示す。
【０１９４】
提案１：  ＤＬ−ＴＴＩ長がＰＤＳＣＨ中のＴＴＩの固定開始シンボルに対応することを目指す。
【０１９５】
提案２：  ４のＰＤＣＣＨ長は、ｓＴＴＩ動作のためにサポートされるべきではない。
【０１９６】
提案３：  ｓＴＴＩ位置は、ｓＴＴＩ位置が潜在的ＣＳＩ−ＲＳリソースと部分的に重ならないように設計される。
【０１９７】
ＵＬにおいてＤＬ−ＨＡＲＱを送信するためのタイミングは、十分に規定される必要があり、ＤＬ割り振り中でＵＥに指示されるべきではない。各ｓＰＵＣＣＨのペイロードを低く保つために、ＤＬ−ＨＡＲＱは、ｓＰＵＣＣＨの長さに依存し得るＵＬサブフレーム上で配信されるべきである。また、多重化能力が考慮されるべきである。あるＤＬ−ＴＴＩおよびｓＰＵＣＣＨ組合せのための、ＤＬ−ＴＴＩからｓＰＵＣＣＨへの固定マッピングが提案される。
【０１９８】
提案４：  ＤＬ−ＨＡＲＱタイミングは、ｓＰＵＣＣＨのためのＤＬ−ＴＴＩとＵＬ−ＴＴＩとの組合せについて固定である。
【０１９９】
２．  ＵＬサブフレーム
２．１．  ｓＰＵＳＣＨ
ｓＰＵＳＣＨでは、あるＴＴＩ長は、ＤＭＲＳが共有されるか否かに応じて、異なるＴＴＩ設定に対応し得る。図１９では、最後のシンボル中にＳＲＳをもつおよびもたない、２、４、および７ｏｓのＴＴＩ長のための例が与えられる。所与の設定について、ＴＴＩは、固定開始位置を有し、ＴＴＩがスロットボーダーを横断しないように配置される。このようにして、スロットベース周波数ホッピングが可能である。
【０２００】
図１９は、ＴＴＩ長の異なるオプションの一実現形態のための、ＵＬサブフレーム中のｓＰＵＳＣＨのためのＴＴＩを示し、ここで、Ｒは、参照シンボルを示し、Ｓは、（スケジュールされる場合）ＳＲＳ位置を示す。
【０２０１】
異なるＵＬ−ＴＴＩ設定が、ＵＬ−ＴＴＩ長のために規定され得る。
【０２０２】
提案５：  ＵＬ−ＴＴＩ設定がＰＵＳＣＨ中のＴＴＩの固定開始シンボルに対応することを目指す。
【０２０３】
提案６：  アップリンクｓＴＴＩ送信は、スロット境界を横切ってマッピングされない。
【０２０４】
提案７：  最低レイテンシのために２／３シンボルｓＰＵＳＣＨをサポートし、より高いＴＢＳでの低減されたレイテンシのために４および７シンボルｓＰＵＳＣＨをサポートすることが推奨される。
【０２０５】
ＵＬ−ｓＴＴＩのためのＵＬグラントは、ＤＬ−ｓＴＴＩ内のｓＰＤＣＣＨ中で送信されるべきである。ＤＬにおけるＴＴＩの数は、いくつかの設定ではより少なくなり得る。たとえば、３つのシンボルのｓＰＤＣＣＨおよび２つのシンボルのＤＬ−ＴＴＩの場合、１つのサブフレーム内に５つのＤＬ−ＴＴＩのみが含まれる。図１８を参照されたい。図１５によれば、最高８つのＴＴＩがＵＬサブフレーム中に含まれていることがある。したがって、１つのＤＬ−ｓＴＴＩ内に少なくとも２つのＵＬグラントを送る可能性が必要とされる。その場合、各ＵＬグラントは、ロケーションから暗黙でなければ、２つの可能なＵＬ−ＴＴＩのうちのいずれがグラントされるかを指定すべきである。
【０２０６】
提案８：  ＵＬグラントからｓＰＵＳＣＨ送信までの時間は、ｓＰＤＣＣＨタイミングとＵＬグラント中の設定との組合せに基づく。
【０２０７】
２．２．  ｓＰＵＣＣＨ
ｓＰＵＣＣＨ  ＴＴＩのパターンは、ｓＰＵＳＣＨのパターンとは異なり得る。２つのシンボルの最短ＤＬ−ＴＴＩでは、ｓＰＵＣＣＨは、最短遅延を提供するために、およびＨＡＲＱを多重化またはバンドルすることを回避するために、ＤＬ−ＴＴＩと等しい長さであるべきである。これはまた、ＤＬ−ＴＴＩと、ＨＡＲＱフィードバックが送信されるｓＰＵＣＣＨとの間の単純な１対１マッピングを許容する。サブフレームごとの６ｓＰＵＣＣＨよりも多いｓＰＵＣＣＨは、６ｓＰＵＣＣＨがサブフレーム中のＤＬ−ｓＴＴＩの最大数に対応するので必要とされない。ｓＰＵＣＣＨは、可能な場合、図２のｓＰＵＳＣＨに整合されるべきである。これは、ＵＥからの送信に重なることを回避することである。サブフレームがＳＲＳを含んでいる場合、異なるパターンが使用され得る。
【０２０８】
図２０は、異なる長さのｓＰＵＣＣＨのためのＴＴＩを示す。４ｏｓおよび７ｏｓでは、Ｆ１とＦ２との間のＴＴＩ周波数ホッピングが可能である。Ｓは、ＳＲＳをもつシンボルを示し、橙は、ユーザ間で共有されるシンボルを示す。
【０２０９】
２つのｓＰＵＣＣＨ概念は、短いおよび長いｓＰＵＣＣＨを指すことがある。上記で説明されたより短いｓＰＵＣＣＨソリューションに加えて、より長いｓＰＵＣＣＨが、改善されたカバレッジのために提供され得る。ＴＤＤ動作のために、およびキャリアアグリゲーション（ＣＡ）サポートのために、より高いペイロードも提供され得る。ＰＵＣＣＨフォーマットＰＦ３またはＰＦ４に基づく７シンボルｓＰＵＣＣＨは、改善されたカバレッジおよび増加されたペイロードに関する要件を満たし、また、十分に低いレイテンシを提供するであろう。
【０２１０】
また、以下で説明されるように、ＰＵＳＣＨのＴＴＩとＰＵＣＣＨのＴＴＩとが同じであれば、はるかに容易であるので、４シンボルｓＰＵＳＣＨが指定される場合、４シンボルｓＰＵＣＣＨが指定されるべきである。
【０２１１】
提案９：  ＳＲおよびＨＡＲＱ−ＡＣＫをサポートするために、２／３シンボルＴＴＩのｓＰＵＣＣＨを規定し、改善されたカバレッジおよび増加されたペイロードのために４つおよび７つのシンボルのｓＰＵＣＣＨを規定する。
【０２１２】
３．  ＴＴＩ長組合せ
上記で説明されたように、ＤＬにおけるＴＴＩ長とＵＬにおけるＴＴＩ長とを組み合わせることが可能であるべきである。オーバーヘッドおよびペイロードの理由で、レイテンシニーズがあまり厳しくない場合、ＵＬデータのためのより長いＴＴＩを使用することは道理にかない得、カバレッジの理由で、より長いｓＰＵＣＣＨが重要であり得る。ただし、スケジューリングおよびフィードバックが過度に複雑にならないように、組合せを制限することが妥当である。
【０２１３】
提案１０：  ＤＬ−ＴＴＩ長と許容ＵＬ−ＴＴＩ長との許容組合せを指定する。
【０２１４】
ＵＬ−ＴＴＩがＤＬ−ＴＴＩよりも短い場合、１つのＤＬ−ＴＴＩにおいて複数のＵＬグラントが必要とされ得る。カバレッジの理由で、ｓＰＵＣＣＨ  ＴＴＩは、ＤＬ−ＴＴＩと同程度に短いかまたはより長くなるのみであるべきである。したがって、ＵＬ−ＴＴＩ長（ｓＰＵＳＣＨおよびｓＰＵＣＣＨ）が、ＤＬ−ＴＴＩと同じであるか、またはＤＬ−ＴＴＩよりも長くなることが提案される。
【０２１５】
提案１１：  ｓＰＵＳＣＨおよびｓＰＵＣＣＨのためのＵＬ−ＴＴＩ長は、ＤＬ−ＴＴＩ長に等しいか、またはＤＬ−ＴＴＩ長よりも長くなることができる。
【０２１６】
ｓＰＵＣＣＨの期間は、ペイロードおよびタイミングが適切にセットされるべきであるので、ＤＬ−ＴＴＩにより多く接続されるので、ｓＰＵＣＣＨ  ＴＴＩ長は、原則として、ＰＵＳＣＨ  ＴＴＩ長とは無関係にセットされ得る。しかしながら、ｓＰＵＳＣＨに対するＵＣＩマッピングを容易にし、ｓＰＵＳＣＨ上の十分なＵＣＩ性能を保証するために、ｓＰＵＳＣＨのＴＴＩ長は、ｓＰＵＣＣＨのＴＴＩ長と同じであるか、またはｓＰＵＣＣＨのＴＴＩ長よりも長くなるべきである。概して、カバレッジ問題または高いｓＰＵＣＣＨペイロードにより、所与のＵＥのためにｅＮＢによって７シンボルｓＰＵＣＣＨが設定された場合、７シンボルｓＰＵＳＣＨも、同じ理由で好ましい可能性が極めて高い。また、ｓＰＵＣＣＨとｓＰＵＳＣＨとの開始が整合されるべきであるか、または、ｓＰＵＣＣＨとｓＰＵＳＣＨとが重なるときにＵＣＩをｓＰＵＳＣＨに移動するためのルールが必要とされる。
【０２１７】
提案１２：  ｓＰＵＳＣＨとｓＰＵＣＣＨとのためのＴＴＩ長が等しく、ＴＴＩの開始が整合される。
【０２１８】
上記で説明されたＴＴＩ長に関して、考慮すべき最も関連するＴＴＩ組合せは、以下の表２にリストされているＴＴＩ組合せである。また、ケース１は、スケジューリング複雑さを増加させるが、改善されたｓＰＵＣＣＨカバレッジのために必要とされ得る。
【０２１９】
提案１３：  ＴＴＩ長の４つの組合せ、すなわち、ｓＰＤＳＣＨ／ｓＰＵＳＣＨ／ｓＰＵＣＣＨ長２／２／２、２／４／４、２／７／７、および７／７／７シンボルが、ｓＴＴＩ動作のために利用可能であるべきである。
2019517199.tif 000008
【０２２０】
３．１．  ｓＴＴＩケース間の切替え
サブフレーム間で（上記で説明された）ｓＴＴＩケースを変化させることと、また、あるケースから別のケースに個々のユーザを移動することとが可能であるべきである。一例として、すべてのユーザがｓＴＴＩケース０において開始することが考慮される。これは、最低レイテンシ通常動作として、ＲＲＣ上でまたはＰＤＣＣＨ中で指示され得る。ＵＬカバレッジを失うユーザが、次いで、ネットワークによって識別され、（たとえば高速ＤＣＩまたはＲＲＣで指示された）ケース１または２に移動される。スプリットされた割り当ての使用によって、同じｓＴＴＩ帯域中で異なるＴＴＩ長を用いてユーザをサーブすることが可能である。ユーザをあるケースから別のケースに移動するとき、変化させられたＵＬ−ｓＴＴＩ長が有効である前の遅延が規定される必要があることに留意されたい。
【０２２１】
提案１４：  ｓＴＴＩケース間でユーザを個々に移動することが可能であるべきである。
【０２２２】
提案１５：  ＵＬおよびＤＬにおいて異なるケースを同時に起動することが可能であるべきである。
【０２２３】
上記の提案は、互いとは無関係であると考えられ得、したがって、それらの提案は、個々にまたは任意の好適な組合せで実装され得る。
【０２２４】
結語
本明細書で説明されたＤＬ送信のための提案のうちの１つに従って、特に、本明細書で説明された、ＤＬパターン、特にＤＬ−ｓＴＴＩパターン、および／またはＴＴＩ長のうちの１つに従って、ならびに／あるいは本明細書で説明された条件のうちの１つまたは任意の組合せに従って、ＤＬ送信するために適応された（第１の）ネットワークノードが考慮され得る。送信することは、使用されるべきパターンを決定することに基づき得、および／または本ネットワークノードは、使用されるべきパターンを決定するために適応され得る。本ネットワークノードは、異なるパターン間の切替えのために適応され、および／または異なるパターン間の切替えのための切替えモジュールを備え得る。そのような切替えは、たとえばサブフレーム間で行われ得る。本ネットワークノードは、概して、ＤＬ送信するための送信モジュール、および／またはパターンを決定するための決定モジュールを備え得る。パターンを決定することは、動作条件に、特にレイテンシ要件に基づき得る。送信することは、概して、ワイヤレスまたは無線送信に関係し得る。
【０２２５】
代替的に、本明細書で説明された、１つまたは複数のＤＬ−ＴＴＩパターン、および／あるいはＵＬ−ＴＴＩパターン、および／あるいは条件のうちのいずれか１つまたは任意の組合せに従う、ＤＬ通信（受信）および／またはＵＬ送信のためのＴＴＩ設定を用いてＵＥのような端末を設定するために適応された（第２の）ネットワークノードが考慮され得る。本ネットワークノードは、対応する設定モジュールを備え得る。本ネットワークノードはまた、上記で説明された（第１の）ネットワークノードとして適応され得る。
【０２２６】
（１つまたは複数の）ネットワークノードのいずれも、ワイヤレス通信ネットワークのためのネットワークノードであり得る。
【０２２７】
その上、ワイヤレス通信ネットワーク中のネットワークノードを動作させる、たとえば、本明細書で説明された（第１の）ネットワークノードを動作させる、（第１の）方法が考慮され得る。本方法は、本明細書で説明されたＤＬ送信のための提案のうちの１つに従って、特に、本明細書で説明された、ＤＬパターン、特にＤＬ−ｓＴＴＩパターン、および／またはＴＴＩ長のうちの１つに従って、ならびに／あるいは本明細書で説明された条件のうちの１つまたは任意の組合せに従って、ＤＬ送信することを含み得る。送信することは、使用されるべきパターンを決定することに基づき得、および／または本方法は、使用されるべきパターンを決定することを含み得る。本方法は、異なるパターン間で切り替えることを随意に含み得る。そのような切替えは、たとえばサブフレーム間で行われ得る。パターンを決定することは、動作条件に、特にレイテンシ要件に基づき得る。
【０２２８】
代替的に、本明細書で説明された（第２の）ネットワークノードであり得る、ワイヤレス通信ネットワーク中のネットワークノードを動作させる（第２の）方法が考慮され得る。本方法は、本明細書で説明された、１つまたは複数のＤＬ−ＴＴＩパターン、および／あるいはＵＬ−ＴＴＩパターン、および／あるいは条件のうちのいずれか１つまたは任意の組合せに従う、ＤＬ通信（受信）および／またはＵＬ送信のためのＴＴＩ設定を用いてＵＥのような端末を設定することを含み得る。本方法はまた、上記で説明されたネットワークノードを動作させるための（第１の）方法の行為および／または行為を含み得る。
【０２２９】
概して、ワイヤレス通信ネットワークのための端末が考慮され得る。本端末は、ＵＥとして実装され得る。本端末は、ＴＴＩ設定に従って受信および／または送信するために適応され得る。
【０２３０】
また、ワイヤレス通信ネットワーク中の端末を動作させる方法が開示される。端末は、ＵＥとして実装され得る。本方法は、ＴＴＩ設定に従って受信および／または送信することを含む。本方法は、たとえば、本明細書で説明された（第２の）ネットワークノードであり得るネットワークノードから、ＴＴＩ設定を受信することを含み得る。
【０２３１】
ＴＴＩ設定は、概して、本明細書で説明された、１つまたは複数のＤＬ−ＴＴＩパターン、および／あるいは１つまたは複数のＵＬ−ＴＴＩパターン、および／あるいは条件のうちのいずれか１つまたは任意の組合せに従う、ＤＬ通信（受信）および／またはＵＬ送信に関係し得る。端末は、たとえば、本明細書で説明された（第２の）ネットワークノードであり得るネットワークノードから、設定を受信するための受信モジュールを備え得る。ＴＴＩ設定は、スロットおよび／またはサブフレームを規定し、ならびに／あるいはスロットおよび／またはサブフレームに関係し得る。設定は、概して、複数のスロットおよび／またはサブフレーム上で有効であり得る。
【０２３２】
本発明が、主に、限られた数の例示的な実施形態に関して上記で説明された。しかしながら、当業者によって直ちに諒解されるように、上記で開示された実施形態以外の実施形態が、添付の特許請求の範囲によって規定される本発明の範囲内で等しく可能である。
【図１】
2019517199.tif 000009
【図２Ａ−Ｂ】
2019517199.tif 000010
【図３】
2019517199.tif 000011
【図４】
2019517199.tif 000012
【図５】
2019517199.tif 000013
【図６】
2019517199.tif 000014
【図７】
2019517199.tif 000015
【図８】
2019517199.tif 000016
【図９ａ−ｂ】
2019517199.tif 000017
【図９ｃ】
2019517199.tif 000018
【図１０】
2019517199.tif 000019
【図１１】
2019517199.tif 000020
【図１２】
2019517199.tif 000021
【図１３】
2019517199.tif 000022
【図１４】
2019517199.tif 000023
【図１５】
2019517199.tif 000024
【図１６】
2019517199.tif 000025
【図１７】
2019517199.tif 000026
【図１８】
2019517199.tif 000027
【図１９ａ−ｄ】
2019517199.tif 000028
【図１９ｅ−ｇ】
2019517199.tif 000029
【図２０】
2019517199.tif 000030
【手続補正書】
【提出日】平成30年2月26日(2018.2.26)
【手続補正１】
【補正対象書類名】特許請求の範囲
【補正対象項目名】全文
【補正方法】変更
【補正の内容】
【特許請求の範囲】
【請求項１】
ネットワークノード（２００）によって実施される、ワイヤレスデバイス（３００ａ）にダウンリンク送信のための設定を提供するための方法であって、
レガシーＴＴＩよりも短い、短ＴＴＩ（ｓＴＴＩ）におけるダウンリンク送信のための設定を備えるダウンリンク制御情報（ＤＣＩ）メッセージを送信すること（Ｓ１０２）
を含み、
１または３の開始シンボルインデックスに続くｓＴＴＩデータ送信が、連続順序でシンボル長３、２、２、２、２、３からなる第１のパターンを有し、
２の開始シンボルインデックスに続く前記ｓＴＴＩデータ送信が、連続順序でシンボル長２、３、２、２、２、３からなる第２のパターンを有する、方法。
【請求項２】
前記ＤＣＩメッセージが、ｓＴＴＩのためのＴＴＩ周波数帯域中で送信される、請求項１に記載の方法。
【請求項３】
前記設定が、参照シンボルとデータシンボルとの位置を備える、請求項１または２に記載の方法。
【請求項４】
前記参照シンボルが、ダウンリンク（ＤＬ）復調用参照信号（ＤＭＲＳ）である、請求項３に記載の方法。
【請求項５】
前記設定がｓＴＴＩ長を備える、請求項１から４のいずれか一項に記載の方法。
【請求項６】
前記ｓＴＴＩが、各サブフレームのための固定長を有する、請求項１から５のいずれか一項に記載の方法。
【請求項７】
前記ＤＣＩメッセージの前記設定に従って、短物理ダウンリンク共有チャネル（ｓＰＤＳＣＨ）上で前記ワイヤレスデバイスにデータ送信を送信すること（Ｓ１０６）
をさらに含む、請求項１から６のいずれか一項に記載の方法。
【請求項８】
前記ＤＣＩメッセージが低速ＤＣＩメッセージであり、前記低速ＤＣＩがサブフレームベースで送られる、請求項１から７のいずれか一項に記載の方法。
【請求項９】
前記低速ＤＣＩメッセージがワイヤレスデバイスのグループに送られる、請求項８に記載の方法。
【請求項１０】
前記ＤＣＩメッセージが高速ＤＣＩメッセージであり、前記高速ＤＣＩメッセージが、特定のワイヤレスデバイスに、およびシンボルまたはｓＴＴＩベースで送られる、請求項１から７のいずれか一項に記載の方法。
【請求項１１】
前記ｓＴＴＩが固定パターンを有する、請求項１から１０のいずれか一項に記載の方法。
【請求項１２】
前記ｓＴＴＩが、サブフレーム内にＤＬ−ｓＴＴＩデータ送信のための固定開始シンボルを有する、請求項１から１０のいずれか一項に記載の方法。
【請求項１３】
ｓＴＴＩの前記固定開始シンボルは、前記ＤＬ−ｓＴＴＩのデータ送信が実施され得るサブフレーム内の第１のシンボルである、請求項１２に記載の方法。
【請求項１４】
前記固定開始シンボルが、ＤＬサブフレームの制御領域に応じて選択される、請求項１２または１３に記載の方法。
【請求項１５】
前記固定開始シンボルが、物理制御フォーマット指示チャネル（ＰＣＦＩＣＨ）によって、または無線リソース制御（ＲＲＣ）によってシグナリングされる、請求項１４に記載の方法。
【請求項１６】
使用されるべきｓＴＴＩパターンを決定すること（Ｓ１００）
をさらに含む、請求項１から１５のいずれか一項に記載の方法。
【請求項１７】
前記決定することがレイテンシ要件に基づく、請求項１６に記載の方法。
【請求項１８】
前記ｓＴＴＩが、第１の固定パターンと第２の固定パターンとを有する、請求項１から１７のいずれか一項に記載の方法。
【請求項１９】
ｓＴＴＩパターンが、連続順序でシンボル長３、２、２、２、２、３からなるか、または連続順序でシンボル長２、３、２、２、２、３からなる、請求項１から１８のいずれか一項に記載の方法。
【請求項２０】
１または３の開始シンボルインデックスに続く前記ｓＴＴＩデータ送信が第１のパターンを有し、２の開始シンボルインデックスに続く前記ｓＴＴＩデータ送信が第２のパターンを有する、請求項１から１９のいずれか一項に記載の方法。
【請求項２１】
ｓＴＴＩ長が、２つまたは７つのシンボルである、請求項６に記載の方法。
【請求項２２】
サブフレーム間で異なるパターン間で切り替えること
をさらに含む、請求項１から２１のいずれか一項に記載の方法。
【請求項２３】
ワイヤレスデバイス（３００ａ）によって実施される、ネットワークノード（２００）からのダウンリンク送信の設定のための方法であって、
レガシーＴＴＩよりも短い、短ＴＴＩ（ｓＴＴＩ）におけるダウンリンク送信のための設定を備えるダウンリンク制御情報（ＤＣＩ）メッセージを受信すること（Ｓ２０２）と、
前記ダウンリンク送信のためのサブフレーム内の開始シンボルインデックスに基づいて、使用されるべきｓＴＴＩパターンを決定すること（Ｓ２０３）と
を含み、
１または３の開始シンボルインデックスに続くｓＴＴＩデータ送信が、連続順序でシンボル長３、２、２、２、２、３からなる第１のパターンを有し、
２の開始シンボルインデックスに続く前記ｓＴＴＩデータ送信が、連続順序でシンボル長２、３、２、２、２、３からなる第２のパターンを有する、方法。
【請求項２４】
前記ＤＣＩメッセージが、ｓＴＴＩのためのＴＴＩ周波数帯域中で受信される、請求項２３に記載の方法。
【請求項２５】
前記設定が、参照シンボルとデータシンボルとの位置を備える、請求項２３または２４に記載の方法。
【請求項２６】
前記参照シンボルが、ダウンリンク（ＤＬ）復調用参照信号（ＤＭＲＳ）である、請求項２５に記載の方法。
【請求項２７】
前記設定がｓＴＴＩ長を備える、請求項２３から２６のいずれか一項に記載の方法。
【請求項２８】
前記ｓＴＴＩが、各サブフレームのための固定長を有する、請求項２３から２６のいずれか一項に記載の方法。
【請求項２９】
前記ＤＣＩメッセージの前記設定に従って、短物理ダウンリンク共有チャネル（ｓＰＤＳＣＨ）上で前記ネットワークノードからデータ送信を受信すること（Ｓ２０４）
をさらに含む、請求項２３から２８のいずれか一項に記載の方法。
【請求項３０】
前記ＤＣＩメッセージが低速ＤＣＩメッセージであり、前記低速ＤＣＩがサブフレームベースで送られる、請求項２３から２９のいずれか一項に記載の方法。
【請求項３１】
前記ＤＣＩメッセージが高速ＤＣＩメッセージであり、前記高速ＤＣＩメッセージが、特定のワイヤレスデバイスに、およびシンボルまたはｓＴＴＩベースで送られる、請求項２３から２９のいずれか一項に記載の方法。
【請求項３２】
前記ｓＴＴＩが、各サブフレームのための固定パターンを有する、請求項２３から３１のいずれか一項に記載の方法。
【請求項３３】
前記ｓＴＴＩが、データ送信のためのＤＬサブフレーム内に固定開始シンボルを有する、請求項２４から３２のいずれか一項に記載の方法。
【請求項３４】
ｓＴＴＩの前記固定開始シンボルは、ＤＬ−ｓＴＴＩのデータ送信が実施され得るサブフレーム内の第１のシンボルである、請求項３３に記載の方法。
【請求項３５】
前記固定開始シンボルが、前記ＤＬサブフレームの制御領域に応じて選択される、請求項３３または３４に記載の方法。
【請求項３６】
前記固定開始シンボルが、物理制御フォーマット指示チャネル（ＰＣＦＩＣＨ）によって、または無線リソース制御（ＲＲＣ）によってシグナリングされる、請求項３５に記載の方法。
【請求項３７】
前記決定することが、データ送信のためのＤＬサブフレーム内の開始シンボルインデックスに基づく、請求項２３に記載の方法。
【請求項３８】
前記ｓＴＴＩが、第１の固定パターンと第２の固定パターンとを有する、請求項２３から３７のいずれか一項に記載の方法。
【請求項３９】
前記ｓＴＴＩパターンが、連続順序でシンボル長３、２、２、２、２、３からなるか、または連続順序でシンボル長２、３、２、２、２、３からなる、請求項２３から３８のいずれか一項に記載の方法。
【請求項４０】
１または３の開始シンボルインデックスに続く前記ｓＴＴＩデータ送信が第１のパターンを有し、２の開始シンボルインデックスに続く前記ｓＴＴＩデータ送信が第２のパターンを有する、請求項２３から３９のいずれか一項に記載の方法。
【請求項４１】
ｓＴＴＩ長が、２つまたは７つのシンボルである、請求項２８に記載の方法。
【請求項４２】
サブフレーム間で異なるパターン間で切り替えること
をさらに含む、請求項２３から４１のいずれか一項に記載の方法。
【請求項４３】
ネットワークノード（２００）によって実施される、ワイヤレスデバイス（３００ａ）にダウンリンク送信のための設定を提供するための方法であって、
レガシーＴＴＩよりも短い、短ＴＴＩ（ｓＴＴＩ）におけるダウンリンク送信のための設定を備える無線リソース制御（ＲＲＣ）メッセージを送信すること（Ｓ１０２）
を含み、
１または３の開始シンボルインデックスに続くｓＴＴＩデータ送信が、連続順序でシンボル長３、２、２、２、２、３からなる第１のパターンを有し、
２の開始シンボルインデックスに続く前記ｓＴＴＩデータ送信が、連続順序でシンボル長２、３、２、２、２、３からなる第２のパターンを有する、方法。
【請求項４４】
ＲＲＣメッセージが、ｓＴＴＩのためのＴＴＩ周波数帯域中で送信される、請求項４３に記載の方法。
【請求項４５】
前記設定がｓＴＴＩ長を備える、請求項４３または４４に記載の方法。
【請求項４６】
ワイヤレスデバイス（３００ａ）によって実施される、ネットワークノード（２００）からのダウンリンク送信の設定のための方法であって、
レガシーＴＴＩよりも短い、短ＴＴＩ（ｓＴＴＩ）におけるダウンリンク送信のための設定を備える無線リソース制御（ＲＲＣ）メッセージを受信すること（Ｓ２０２）と、
前記ダウンリンク送信のためのサブフレーム内の開始シンボルインデックスに基づいて、使用されるべきｓＴＴＩパターンを決定することと
を含み、
１または３の開始シンボルインデックスに続くｓＴＴＩデータ送信が、連続順序でシンボル長３、２、２、２、２、３からなる第１のパターンを有し、
２の開始シンボルインデックスに続く前記ｓＴＴＩデータ送信が、連続順序でシンボル長２、３、２、２、２、３からなる第２のパターンを有する、方法。
【請求項４７】
ワイヤレスデバイス（３００ａ）にダウンリンク送信のための設定を提供するためのネットワークノードであって、
プロセッサ（２１０）と、
命令を記憶するコンピュータプログラム製品（２１２、２１３）とを備え、前記命令が、前記プロセッサによって実行されたとき、前記ネットワークノードに、
レガシーＴＴＩよりも短い、短ＴＴＩ（ｓＴＴＩ）におけるダウンリンク送信のための設定を備えるダウンリンク制御情報（ＤＣＩ）メッセージを送信すること（Ｓ１０２）
を行わせ、
１または３の開始シンボルインデックスに続くｓＴＴＩデータ送信が、連続順序でシンボル長３、２、２、２、２、３からなる第１のパターンを有し、
２の開始シンボルインデックスに続く前記ｓＴＴＩデータ送信が、連続順序でシンボル長２、３、２、２、２、３からなる第２のパターンを有する、ネットワークノード（２００）。
【請求項４８】
ネットワークノード（２００）からのダウンリンク送信の設定のためのワイヤレスデバイスであって、
プロセッサ（３１０）と、
命令を記憶するコンピュータプログラム製品（３１２、３１３）とを備え、前記命令が、前記プロセッサによって実行されたとき、前記ワイヤレスデバイスに、
レガシーＴＴＩよりも短い、短ＴＴＩ（ｓＴＴＩ）におけるダウンリンク送信のための設定を備えるダウンリンク制御情報（ＤＣＩ）メッセージを受信すること（Ｓ２０２）と、
前記ダウンリンク送信のためのサブフレーム内の開始シンボルインデックスに基づいて、使用されるべきｓＴＴＩパターンを決定することと
を行わせ、
１または３の開始シンボルインデックスに続くｓＴＴＩデータ送信が、連続順序でシンボル長３、２、２、２、２、３からなる第１のパターンを有し、
２の開始シンボルインデックスに続く前記ｓＴＴＩデータ送信が、連続順序でシンボル長２、３、２、２、２、３からなる第２のパターンを有する、ワイヤレスデバイス（３００ａ）。
【請求項４９】
ワイヤレスデバイス（３００ａ）にダウンリンク送信のための設定を提供するためのネットワークノードであって、
プロセッサ（２１０）と、
命令を記憶するコンピュータプログラム製品（２１２、２１３）とを備え、前記命令が、前記プロセッサによって実行されたとき、前記ネットワークノードに、
レガシーＴＴＩよりも短い、短ＴＴＩ（ｓＴＴＩ）におけるダウンリンク送信のための設定を備える無線リソース制御（ＲＲＣ）メッセージを送信すること（Ｓ１０２）
を行わせ、
１または３の開始シンボルインデックスに続くｓＴＴＩデータ送信が、連続順序でシンボル長３、２、２、２、２、３からなる第１のパターンを有し、
２の開始シンボルインデックスに続く前記ｓＴＴＩデータ送信が、連続順序でシンボル長２、３、２、２、２、３からなる第２のパターンを有する、ネットワークノード（２００）。
【請求項５０】
ネットワークノード（２００）からのダウンリンク送信の設定のためのワイヤレスデバイスであって、
プロセッサ（３１０）と、
命令を記憶するコンピュータプログラム製品（３１２、３１３）とを備え、前記命令が、前記プロセッサによって実行されたとき、前記ワイヤレスデバイスに、
レガシーＴＴＩよりも短い、短ＴＴＩ（ｓＴＴＩ）におけるダウンリンク送信のための設定を備える無線リソース制御（ＲＲＣ）メッセージを受信すること（Ｓ２０２）と、
前記ダウンリンク送信のためのサブフレーム内の開始シンボルインデックスに基づいて、使用されるべきｓＴＴＩパターンを決定することと
を行わせ、
１または３の開始シンボルインデックスに続くｓＴＴＩデータ送信が、連続順序でシンボル長３、２、２、２、２、３からなる第１のパターンを有し、
２の開始シンボルインデックスに続く前記ｓＴＴＩデータ送信が、連続順序でシンボル長２、３、２、２、２、３からなる第２のパターンを有する、ワイヤレスデバイス（３００ａ）。
【請求項５１】
ワイヤレスデバイス（３００ａ）にダウンリンク送信のための設定を提供するためのコンピュータプログラム（２１４、２１５）であって、前記コンピュータプログラムがコンピュータプログラムコードを備え、前記コンピュータプログラムコードが、ネットワークノード（２００）上で起動されたとき、前記ネットワークノード（２００）に、
レガシーＴＴＩよりも短い、短ＴＴＩ（ｓＴＴＩ）におけるダウンリンク送信のための設定を備えるダウンリンク制御情報（ＤＣＩ）メッセージを送信すること（Ｓ１０２）
を行わせ、
１または３の開始シンボルインデックスに続くｓＴＴＩデータ送信が、連続順序でシンボル長３、２、２、２、２、３からなる第１のパターンを有し、
２の開始シンボルインデックスに続く前記ｓＴＴＩデータ送信が、連続順序でシンボル長２、３、２、２、２、３からなる第２のパターンを有する、コンピュータプログラム（２１４、２１５）。
【請求項５２】
ネットワークノード（２００）からのダウンリンク送信の設定のためのコンピュータプログラム（３１４、３１５）であって、前記コンピュータプログラムがコンピュータプログラムコードを備え、前記コンピュータプログラムコードが、ワイヤレス端末（３００）上で起動されたとき、前記ワイヤレス端末（３００）に、
レガシーＴＴＩよりも短い、短ＴＴＩ（ｓＴＴＩ）におけるダウンリンク送信のための設定を備えるダウンリンク制御情報（ＤＣＩ）メッセージを受信すること（Ｓ２０２）と、
前記ダウンリンク送信のためのサブフレーム内の開始シンボルインデックスに基づいて、使用されるべきｓＴＴＩパターンを決定することと
を行わせ、
１または３の開始シンボルインデックスに続くｓＴＴＩデータ送信が、連続順序でシンボル長３、２、２、２、２、３からなる第１のパターンを有し、
２の開始シンボルインデックスに続く前記ｓＴＴＩデータ送信が、連続順序でシンボル長２、３、２、２、２、３からなる第２のパターンを有する、コンピュータプログラム（３１４、３１５）。
【請求項５３】
ワイヤレスデバイス（３００ａ）にダウンリンク送信のための設定を提供するためのコンピュータプログラム（２１４、２１５）であって、前記コンピュータプログラムがコンピュータプログラムコードを備え、前記コンピュータプログラムコードが、ネットワークノード（２００）上で起動されたとき、前記ネットワークノード（２００）に、
レガシーＴＴＩよりも短い、短ＴＴＩ（ｓＴＴＩ）におけるダウンリンク送信のための設定を備える無線リソース制御（ＲＲＣ）メッセージを送信すること（Ｓ１０２）
を行わせ、
１または３の開始シンボルインデックスに続くｓＴＴＩデータ送信が、連続順序でシンボル長３、２、２、２、２、３からなる第１のパターンを有し、
２の開始シンボルインデックスに続く前記ｓＴＴＩデータ送信が、連続順序でシンボル長２、３、２、２、２、３からなる第２のパターンを有する、コンピュータプログラム（２１４、２１５）。
【請求項５４】
ネットワークノード（２００）からのダウンリンク送信の設定のためのコンピュータプログラム（３１４、３１５）であって、前記コンピュータプログラムがコンピュータプログラムコードを備え、前記コンピュータプログラムコードが、ワイヤレス端末（３００）上で起動されたとき、前記ワイヤレス端末（３００）に、
レガシーＴＴＩよりも短い、短ＴＴＩ（ｓＴＴＩ）におけるダウンリンク送信のための設定を備える無線リソース制御（ＲＲＣ）メッセージを受信すること（Ｓ２０２）と、
前記ダウンリンク送信のためのサブフレーム内の開始シンボルインデックスに基づいて、使用されるべきｓＴＴＩパターンを決定することと
を行わせ、
１または３の開始シンボルインデックスに続くｓＴＴＩデータ送信が、連続順序でシンボル長３、２、２、２、２、３からなる第１のパターンを有し、
２の開始シンボルインデックスに続く前記ｓＴＴＩデータ送信が、連続順序でシンボル長２、３、２、２、２、３からなる第２のパターンを有する、コンピュータプログラム（３１４、３１５）。
【請求項５５】
請求項５１から５４のいずれか一項に記載のコンピュータプログラム（２１４、２１５；３１４、３１５）と、前記コンピュータプログラム（２１４、２１５；３１４、３１５）が記憶されるコンピュータ可読記憶手段とを備えるコンピュータプログラム製品（２１２、２１３；３１２、３１３）。
【手続補正書】
【提出日】平成31年1月17日(2019.1.17)
【手続補正１】
【補正対象書類名】特許請求の範囲
【補正対象項目名】全文
【補正方法】変更
【補正の内容】
【特許請求の範囲】
【請求項１】
ネットワークノード（２００）によって実施される、ワイヤレスデバイス（３００ａ）にダウンリンク送信のための設定を提供するための方法であって、
レガシーＴＴＩよりも短い、短ＴＴＩ（ｓＴＴＩ）におけるダウンリンク送信のための設定を備えるダウンリンク制御情報（ＤＣＩ）メッセージを送信すること（Ｓ１０２）
を含み、
１または３の開始シンボルインデックスに続くｓＴＴＩデータ送信が、連続順序でシンボル長３、２、２、２、２、３からなる第１のパターンを有し、
２の開始シンボルインデックスに続く前記ｓＴＴＩデータ送信が、連続順序でシンボル長２、３、２、２、２、３からなる第２のパターンを有する、方法。
【請求項２】
前記ＤＣＩメッセージが、ｓＴＴＩのためのＴＴＩ周波数帯域中で送信される、請求項１に記載の方法。
【請求項３】
前記設定が、参照シンボルとデータシンボルとの位置を備える、請求項１または２に記載の方法。
【請求項４】
前記参照シンボルが、ダウンリンク（ＤＬ）復調用参照信号（ＤＭＲＳ）である、請求項３に記載の方法。
【請求項５】
前記設定がｓＴＴＩ長を備える、請求項１から４のいずれか一項に記載の方法。
【請求項６】
前記ｓＴＴＩが、各サブフレームのための固定長を有する、請求項１から５のいずれか一項に記載の方法。
【請求項７】
前記ＤＣＩメッセージの前記設定に従って、短物理ダウンリンク共有チャネル（ｓＰＤＳＣＨ）上で前記ワイヤレスデバイスにデータ送信を送信すること（Ｓ１０６）
をさらに含む、請求項１から６のいずれか一項に記載の方法。
【請求項８】
前記ＤＣＩメッセージが低速ＤＣＩメッセージであり、前記低速ＤＣＩがサブフレームベースで送られる、請求項１から７のいずれか一項に記載の方法。
【請求項９】
前記低速ＤＣＩメッセージがワイヤレスデバイスのグループに送られる、請求項８に記載の方法。
【請求項１０】
前記ＤＣＩメッセージが高速ＤＣＩメッセージであり、前記高速ＤＣＩメッセージが、特定のワイヤレスデバイスに、およびシンボルまたはｓＴＴＩベースで送られる、請求項１から７のいずれか一項に記載の方法。
【請求項１１】
前記ｓＴＴＩが固定パターンを有する、請求項１から１０のいずれか一項に記載の方法。
【請求項１２】
前記ｓＴＴＩが、サブフレーム内にＤＬ−ｓＴＴＩデータ送信のための固定開始シンボルを有する、請求項１から１０のいずれか一項に記載の方法。
【請求項１３】
ｓＴＴＩの前記固定開始シンボルは、前記ＤＬ−ｓＴＴＩのデータ送信が実施され得るサブフレーム内の第１のシンボルである、請求項１２に記載の方法。
【請求項１４】
前記固定開始シンボルが、ＤＬサブフレームの制御領域に応じて選択される、請求項１２または１３に記載の方法。
【請求項１５】
前記固定開始シンボルが、物理制御フォーマット指示チャネル（ＰＣＦＩＣＨ）によって、または無線リソース制御（ＲＲＣ）によってシグナリングされる、請求項１４に記載の方法。
【請求項１６】
使用されるべきｓＴＴＩパターンを決定すること（Ｓ１００）
をさらに含む、請求項１から１５のいずれか一項に記載の方法。
【請求項１７】
前記決定することがレイテンシ要件に基づく、請求項１６に記載の方法。
【請求項１８】
前記ｓＴＴＩが、第１の固定パターンと第２の固定パターンとを有する、請求項１から１７のいずれか一項に記載の方法。
【請求項１９】
ｓＴＴＩパターンが、連続順序でシンボル長３、２、２、２、２、３からなるか、または連続順序でシンボル長２、３、２、２、２、３からなる、請求項１から１８のいずれか一項に記載の方法。
【請求項２０】
１または３の開始シンボルインデックスに続く前記ｓＴＴＩデータ送信が第１のパターンを有し、２の開始シンボルインデックスに続く前記ｓＴＴＩデータ送信が第２のパターンを有する、請求項１から１９のいずれか一項に記載の方法。
【請求項２１】
ｓＴＴＩ長が、２つまたは７つのシンボルである、請求項６に記載の方法。
【請求項２２】
サブフレーム間で異なるパターン間で切り替えること
をさらに含む、請求項１から２１のいずれか一項に記載の方法。
【請求項２３】
ワイヤレスデバイス（３００ａ）によって実施される、ネットワークノード（２００）からのダウンリンク送信の設定のための方法であって、
レガシーＴＴＩよりも短い、短ＴＴＩ（ｓＴＴＩ）におけるダウンリンク送信のための設定を備えるダウンリンク制御情報（ＤＣＩ）メッセージを受信すること（Ｓ２０２）と、
前記ダウンリンク送信のためのサブフレーム内の開始シンボルインデックスに基づいて、使用されるべきｓＴＴＩパターンを決定すること（Ｓ２０３）と
を含み、
１または３の開始シンボルインデックスに続くｓＴＴＩデータ送信が、連続順序でシンボル長３、２、２、２、２、３からなる第１のパターンを有し、
２の開始シンボルインデックスに続く前記ｓＴＴＩデータ送信が、連続順序でシンボル長２、３、２、２、２、３からなる第２のパターンを有する、方法。
【請求項２４】
前記ＤＣＩメッセージが、ｓＴＴＩのためのＴＴＩ周波数帯域中で受信される、請求項２３に記載の方法。
【請求項２５】
前記設定が、参照シンボルとデータシンボルとの位置を備える、請求項２３または２４に記載の方法。
【請求項２６】
前記参照シンボルが、ダウンリンク（ＤＬ）復調用参照信号（ＤＭＲＳ）である、請求項２５に記載の方法。
【請求項２７】
前記設定がｓＴＴＩ長を備える、請求項２３から２６のいずれか一項に記載の方法。
【請求項２８】
前記ｓＴＴＩが、各サブフレームのための固定長を有する、請求項２３から２６のいずれか一項に記載の方法。
【請求項２９】
前記ＤＣＩメッセージの前記設定に従って、短物理ダウンリンク共有チャネル（ｓＰＤＳＣＨ）上で前記ネットワークノードからデータ送信を受信すること（Ｓ２０４）
をさらに含む、請求項２３から２８のいずれか一項に記載の方法。
【請求項３０】
前記ＤＣＩメッセージが低速ＤＣＩメッセージであり、前記低速ＤＣＩがサブフレームベースで送られる、請求項２３から２９のいずれか一項に記載の方法。
【請求項３１】
前記ＤＣＩメッセージが高速ＤＣＩメッセージであり、前記高速ＤＣＩメッセージが、特定のワイヤレスデバイスに、およびシンボルまたはｓＴＴＩベースで送られる、請求項２３から２９のいずれか一項に記載の方法。
【請求項３２】
前記ｓＴＴＩが、各サブフレームのための固定パターンを有する、請求項２３から３１のいずれか一項に記載の方法。
【請求項３３】
前記ｓＴＴＩが、データ送信のためのＤＬサブフレーム内に固定開始シンボルを有する、請求項２４から３２のいずれか一項に記載の方法。
【請求項３４】
ｓＴＴＩの前記固定開始シンボルは、ＤＬ−ｓＴＴＩのデータ送信が実施され得るサブフレーム内の第１のシンボルである、請求項３３に記載の方法。
【請求項３５】
前記固定開始シンボルが、前記ＤＬサブフレームの制御領域に応じて選択される、請求項３３または３４に記載の方法。
【請求項３６】
前記固定開始シンボルが、物理制御フォーマット指示チャネル（ＰＣＦＩＣＨ）によって、または無線リソース制御（ＲＲＣ）によってシグナリングされる、請求項３５に記載の方法。
【請求項３７】
前記ｓＴＴＩが、第１の固定パターンと第２の固定パターンとを有する、請求項２３から３６のいずれか一項に記載の方法。
【請求項３８】
前記ｓＴＴＩパターンが、連続順序でシンボル長３、２、２、２、２、３からなるか、または連続順序でシンボル長２、３、２、２、２、３からなる、請求項２３から３６のいずれか一項に記載の方法。
【請求項３９】
１または３の開始シンボルインデックスに続く前記ｓＴＴＩデータ送信が第１のパターンを有し、２の開始シンボルインデックスに続く前記ｓＴＴＩデータ送信が第２のパターンを有する、請求項２３から３８のいずれか一項に記載の方法。
【請求項４０】
ｓＴＴＩ長が、２つまたは７つのシンボルである、請求項２８に記載の方法。
【請求項４１】
サブフレーム間で異なるパターン間で切り替えること
をさらに含む、請求項２３から４０のいずれか一項に記載の方法。
【請求項４２】
ネットワークノード（２００）によって実施される、ワイヤレスデバイス（３００ａ）にダウンリンク送信のための設定を提供するための方法であって、
レガシーＴＴＩよりも短い、短ＴＴＩ（ｓＴＴＩ）におけるダウンリンク送信のための設定を備える無線リソース制御（ＲＲＣ）メッセージを送信すること（Ｓ１０２）
を含み、
１または３の開始シンボルインデックスに続くｓＴＴＩデータ送信が、連続順序でシンボル長３、２、２、２、２、３からなる第１のパターンを有し、
２の開始シンボルインデックスに続く前記ｓＴＴＩデータ送信が、連続順序でシンボル長２、３、２、２、２、３からなる第２のパターンを有する、方法。
【請求項４３】
ＲＲＣメッセージが、ｓＴＴＩのためのＴＴＩ周波数帯域中で送信される、請求項４２に記載の方法。
【請求項４４】
前記設定がｓＴＴＩ長を備える、請求項４２または４３に記載の方法。
【請求項４５】
ワイヤレスデバイス（３００ａ）によって実施される、ネットワークノード（２００）からのダウンリンク送信の設定のための方法であって、
レガシーＴＴＩよりも短い、短ＴＴＩ（ｓＴＴＩ）におけるダウンリンク送信のための設定を備える無線リソース制御（ＲＲＣ）メッセージを受信すること（Ｓ２０２）と、
前記ダウンリンク送信のためのサブフレーム内の開始シンボルインデックスに基づいて、使用されるべきｓＴＴＩパターンを決定することと
を含み、
１または３の開始シンボルインデックスに続くｓＴＴＩデータ送信が、連続順序でシンボル長３、２、２、２、２、３からなる第１のパターンを有し、
２の開始シンボルインデックスに続く前記ｓＴＴＩデータ送信が、連続順序でシンボル長２、３、２、２、２、３からなる第２のパターンを有する、方法。
【請求項４６】
ワイヤレスデバイス（３００ａ）にダウンリンク送信のための設定を提供するためのネットワークノードであって、
プロセッサ（２１０）と、
命令を記憶するコンピュータプログラム製品（２１２、２１３）とを備え、前記命令が、前記プロセッサによって実行されたとき、前記ネットワークノードに、
レガシーＴＴＩよりも短い、短ＴＴＩ（ｓＴＴＩ）におけるダウンリンク送信のための設定を備えるダウンリンク制御情報（ＤＣＩ）メッセージを送信すること（Ｓ１０２）
を行わせ、
１または３の開始シンボルインデックスに続くｓＴＴＩデータ送信が、連続順序でシンボル長３、２、２、２、２、３からなる第１のパターンを有し、
２の開始シンボルインデックスに続く前記ｓＴＴＩデータ送信が、連続順序でシンボル長２、３、２、２、２、３からなる第２のパターンを有する、ネットワークノード（２００）。
【請求項４７】
ネットワークノード（２００）からのダウンリンク送信の設定のためのワイヤレスデバイスであって、
プロセッサ（３１０）と、
命令を記憶するコンピュータプログラム製品（３１２、３１３）とを備え、前記命令が、前記プロセッサによって実行されたとき、前記ワイヤレスデバイスに、
レガシーＴＴＩよりも短い、短ＴＴＩ（ｓＴＴＩ）におけるダウンリンク送信のための設定を備えるダウンリンク制御情報（ＤＣＩ）メッセージを受信すること（Ｓ２０２）と、
前記ダウンリンク送信のためのサブフレーム内の開始シンボルインデックスに基づいて、使用されるべきｓＴＴＩパターンを決定することと
を行わせ、
１または３の開始シンボルインデックスに続くｓＴＴＩデータ送信が、連続順序でシンボル長３、２、２、２、２、３からなる第１のパターンを有し、
２の開始シンボルインデックスに続く前記ｓＴＴＩデータ送信が、連続順序でシンボル長２、３、２、２、２、３からなる第２のパターンを有する、ワイヤレスデバイス（３００ａ）。
【請求項４８】
ワイヤレスデバイス（３００ａ）にダウンリンク送信のための設定を提供するためのネットワークノードであって、
プロセッサ（２１０）と、
命令を記憶するコンピュータプログラム製品（２１２、２１３）とを備え、前記命令が、前記プロセッサによって実行されたとき、前記ネットワークノードに、
レガシーＴＴＩよりも短い、短ＴＴＩ（ｓＴＴＩ）におけるダウンリンク送信のための設定を備える無線リソース制御（ＲＲＣ）メッセージを送信すること（Ｓ１０２）
を行わせ、
１または３の開始シンボルインデックスに続くｓＴＴＩデータ送信が、連続順序でシンボル長３、２、２、２、２、３からなる第１のパターンを有し、
２の開始シンボルインデックスに続く前記ｓＴＴＩデータ送信が、連続順序でシンボル長２、３、２、２、２、３からなる第２のパターンを有する、ネットワークノード（２００）。
【請求項４９】
ネットワークノード（２００）からのダウンリンク送信の設定のためのワイヤレスデバイスであって、
プロセッサ（３１０）と、
命令を記憶するコンピュータプログラム製品（３１２、３１３）とを備え、前記命令が、前記プロセッサによって実行されたとき、前記ワイヤレスデバイスに、
レガシーＴＴＩよりも短い、短ＴＴＩ（ｓＴＴＩ）におけるダウンリンク送信のための設定を備える無線リソース制御（ＲＲＣ）メッセージを受信すること（Ｓ２０２）と、
前記ダウンリンク送信のためのサブフレーム内の開始シンボルインデックスに基づいて、使用されるべきｓＴＴＩパターンを決定することと
を行わせ、
１または３の開始シンボルインデックスに続くｓＴＴＩデータ送信が、連続順序でシンボル長３、２、２、２、２、３からなる第１のパターンを有し、
２の開始シンボルインデックスに続く前記ｓＴＴＩデータ送信が、連続順序でシンボル長２、３、２、２、２、３からなる第２のパターンを有する、ワイヤレスデバイス（３００ａ）。
【請求項５０】
ワイヤレスデバイス（３００ａ）にダウンリンク送信のための設定を提供するためのコンピュータプログラム（２１４、２１５）であって、前記コンピュータプログラムがコンピュータプログラムコードを備え、前記コンピュータプログラムコードが、ネットワークノード（２００）上で起動されたとき、前記ネットワークノード（２００）に、
レガシーＴＴＩよりも短い、短ＴＴＩ（ｓＴＴＩ）におけるダウンリンク送信のための設定を備えるダウンリンク制御情報（ＤＣＩ）メッセージを送信すること（Ｓ１０２）
を行わせ、
１または３の開始シンボルインデックスに続くｓＴＴＩデータ送信が、連続順序でシンボル長３、２、２、２、２、３からなる第１のパターンを有し、
２の開始シンボルインデックスに続く前記ｓＴＴＩデータ送信が、連続順序でシンボル長２、３、２、２、２、３からなる第２のパターンを有する、コンピュータプログラム（２１４、２１５）。
【請求項５１】
ネットワークノード（２００）からのダウンリンク送信の設定のためのコンピュータプログラム（３１４、３１５）であって、前記コンピュータプログラムがコンピュータプログラムコードを備え、前記コンピュータプログラムコードが、ワイヤレス端末（３００）上で起動されたとき、前記ワイヤレス端末（３００）に、
レガシーＴＴＩよりも短い、短ＴＴＩ（ｓＴＴＩ）におけるダウンリンク送信のための設定を備えるダウンリンク制御情報（ＤＣＩ）メッセージを受信すること（Ｓ２０２）と、
前記ダウンリンク送信のためのサブフレーム内の開始シンボルインデックスに基づいて、使用されるべきｓＴＴＩパターンを決定することと
を行わせ、
１または３の開始シンボルインデックスに続くｓＴＴＩデータ送信が、連続順序でシンボル長３、２、２、２、２、３からなる第１のパターンを有し、
２の開始シンボルインデックスに続く前記ｓＴＴＩデータ送信が、連続順序でシンボル長２、３、２、２、２、３からなる第２のパターンを有する、コンピュータプログラム（３１４、３１５）。
【請求項５２】
ワイヤレスデバイス（３００ａ）にダウンリンク送信のための設定を提供するためのコンピュータプログラム（２１４、２１５）であって、前記コンピュータプログラムがコンピュータプログラムコードを備え、前記コンピュータプログラムコードが、ネットワークノード（２００）上で起動されたとき、前記ネットワークノード（２００）に、
レガシーＴＴＩよりも短い、短ＴＴＩ（ｓＴＴＩ）におけるダウンリンク送信のための設定を備える無線リソース制御（ＲＲＣ）メッセージを送信すること（Ｓ１０２）
を行わせ、
１または３の開始シンボルインデックスに続くｓＴＴＩデータ送信が、連続順序でシンボル長３、２、２、２、２、３からなる第１のパターンを有し、
２の開始シンボルインデックスに続く前記ｓＴＴＩデータ送信が、連続順序でシンボル長２、３、２、２、２、３からなる第２のパターンを有する、コンピュータプログラム（２１４、２１５）。
【請求項５３】
ネットワークノード（２００）からのダウンリンク送信の設定のためのコンピュータプログラム（３１４、３１５）であって、前記コンピュータプログラムがコンピュータプログラムコードを備え、前記コンピュータプログラムコードが、ワイヤレス端末（３００）上で起動されたとき、前記ワイヤレス端末（３００）に、
レガシーＴＴＩよりも短い、短ＴＴＩ（ｓＴＴＩ）におけるダウンリンク送信のための設定を備える無線リソース制御（ＲＲＣ）メッセージを受信すること（Ｓ２０２）と、
前記ダウンリンク送信のためのサブフレーム内の開始シンボルインデックスに基づいて、使用されるべきｓＴＴＩパターンを決定することと
を行わせ、
１または３の開始シンボルインデックスに続くｓＴＴＩデータ送信が、連続順序でシンボル長３、２、２、２、２、３からなる第１のパターンを有し、
２の開始シンボルインデックスに続く前記ｓＴＴＩデータ送信が、連続順序でシンボル長２、３、２、２、２、３からなる第２のパターンを有する、コンピュータプログラム（３１４、３１５）。
【請求項５４】
請求項５０から５３のいずれか一項に記載のコンピュータプログラム（２１４、２１５；３１４、３１５）と、前記コンピュータプログラム（２１４、２１５；３１４、３１５）が記憶されるコンピュータ可読記憶手段とを備えるコンピュータプログラム製品（２１２、２１３；３１２、３１３）。
【国際調査報告】
2019517199.tif 000031
2019517199.tif 000032
2019517199.tif 000033